(57)【特許請求の範囲】
【請求項１】
アクセスポイントが実行する通信方法であって、
第１の持続時間にわたる第１の送信機会（ＴＸＯＰ）のために通信媒体へのアクセスを求めて競合すること、ここにおいて、前記通信媒体は、免許不要周波数帯域の少なくとも一部に対応する、と、
前記第１のＴＸＯＰの１つまたは複数のダウンリンクサブフレームの間にアクセス端末に、第２の持続時間にわたる第２のＴＸＯＰのためにアップリンクリソースを前記アクセス端末に許可するスケジューリング許可を送信すること、ここにおいて、前記スケジューリング許可は、前記通信媒体が占有されている、前記第１のＴＸＯＰと前記第２のＴＸＯＰとの間の介在時間期間のためにスケジュールされた任意のアップリンクサブフレームを無視し、前記許可されたアップリンクリソースを前記第２のＴＸＯＰの間のアップリンクサブフレームに持ち越すように、前記アクセス端末を構成する、と、
前記第２のＴＸＯＰのために前記通信媒体へのアクセスを求めて競合することと、
前記第２のＴＸＯＰの間に、前記許可されたアップリンクリソースで前記アクセス端末からアップリンクシグナリングを受信することと
を備える、通信方法。
【請求項２】
前記第１のＴＸＯＰ、前記第２のＴＸＯＰ、または両方のために前記通信媒体を予約するチャネル予約メッセージを送信することをさらに備える、請求項１に記載の方法。
【請求項３】
前記送信することは、共通制御チャネルで前記スケジューリング許可をブロードキャストすることを備える、請求項１に記載の方法。
【請求項４】
前記第１のＴＸＯＰの間に、前記アクセス端末に前記スケジューリング許可を再送信することをさらに備える、請求項１に記載の方法。
【請求項５】
前記スケジューリング許可は、前記第１のＴＸＯＰの第１のダウンリンクサブフレームにおいて送信され、前記第１のＴＸＯＰの第２のダウンリンクサブフレームにおいて再送信される、請求項４に記載の方法。
【請求項６】
前記スケジューリング許可はさらに、前記第１のＴＸＯＰのためにアップリンクリソースを前記アクセス端末に許可する、請求項１に記載の方法。
【請求項７】
少なくとも１つのプロセッサと、
前記少なくとも１つのプロセッサに結合された少なくとも１つのメモリと、前記少なくとも１つのプロセッサおよび前記少なくとも１つのメモリが、第１の持続時間にわたる第１の送信機会（ＴＸＯＰ）のために通信媒体へのアクセスを求めて競合するように構成され、ここにおいて、前記通信媒体は、免許不要周波数帯域の少なくとも一部に対応し、
前記第１のＴＸＯＰの間にアクセス端末に、第２の持続時間にわたる第２のＴＸＯＰのためにアップリンクリソースを前記アクセス端末に許可するスケジューリング許可を送信するように構成された少なくとも１つのトランシーバ、ここにおいて、前記スケジューリング許可は、前記通信媒体が占有されている、前記第１のＴＸＯＰと前記第２のＴＸＯＰとの間の介在時間期間のためにスケジュールされた任意のアップリンクサブフレームを無視し、前記許可されたアップリンクリソースを前記第２のＴＸＯＰの間のアップリンクサブフレームに持ち越すように、前記アクセス端末を構成する、と
を備える、通信装置であって、
前記少なくとも１つのプロセッサおよび前記少なくとも１つのメモリは、前記第２のＴＸＯＰのために前記通信媒体へのアクセスを求めて競合するようにさらに構成され、
前記少なくとも１つのトランシーバは、前記第２のＴＸＯＰの間に、前記許可されたアップリンクリソースで前記アクセス端末からアップリンクシグナリングを受信するようにさらに構成される、通信装置。
【請求項８】
前記少なくとも１つのトランシーバは、前記第１のＴＸＯＰ、前記第２のＴＸＯＰ、または両方のために前記通信媒体を予約するチャネル予約メッセージを送信するようにさらに構成される、請求項７に記載の装置。
【請求項９】
前記少なくとも１つのトランシーバは、共通制御チャネルで前記スケジューリング許可をブロードキャストするようにさらに構成される、請求項７に記載の装置。
【請求項１０】
前記少なくとも１つのトランシーバは、前記第１のＴＸＯＰの間に、前記アクセス端末に前記スケジューリング許可を再送信するようにさらに構成される、請求項７に記載の装置。
【請求項１１】
前記少なくとも１つのトランシーバは、前記第１のＴＸＯＰの第１のダウンリンクサブフレームにおいて前記スケジューリング許可を送信し、前記第１のＴＸＯＰの第２のダウンリンクサブフレームにおいて前記スケジューリング許可を再送信するようにさらに構成される、請求項１０に記載の装置。
【請求項１２】
前記スケジューリング許可はさらに、前記第１のＴＸＯＰのためにアップリンクリソースを前記アクセス端末に許可する、請求項７に記載の装置。
【請求項１３】
アクセス端末が実行する通信方法であって、
第１の持続時間にわたる第１の送信機会（ＴＸＯＰ）の１つまたは複数のダウンリンクサブフレームの間に、前記アクセス端末による送信のために通信媒体のアップリンクリソースを許可するスケジューリング許可をアクセスポイントから受信すること、ここにおいて、前記通信媒体は、免許不要周波数帯域の少なくとも一部に対応する、と、
第２の持続時間にわたる第２のＴＸＯＰにおける前記スケジューリング許可に対応するアップリンクリソースを識別すること、ここにおいて、前記スケジューリング許可は、前記通信媒体が占有されている、前記第１のＴＸＯＰと前記第２のＴＸＯＰとの間の介在時間期間のためにスケジュールされた任意のアップリンクサブフレームを無視し、前記許可されたアップリンクリソースを前記第２のＴＸＯＰの間のアップリンクサブフレームに持ち越すように、前記アクセス端末を構成する、と、
前記第２のＴＸＯＰの間に、前記識別されたアップリンクリソースで前記アクセスポイントにアップリンクシグナリングを送信することと
を備える、通信方法。
【請求項１４】
第１の持続時間にわたる第１の送信機会（ＴＸＯＰ）の１つまたは複数のダウンリンクサブフレームの間に、アクセス端末による送信のために通信媒体のアップリンクリソースを許可するスケジューリング許可をアクセスポイントから受信するように構成された少なくとも１つのトランシーバ、ここにおいて、前記通信媒体は、免許不要周波数帯域の少なくとも一部に対応する、と、
少なくとも１つのプロセッサと、
前記少なくとも１つのプロセッサに結合された少なくとも１つのメモリと、
を備える、通信装置であって、前記少なくとも１つのプロセッサおよび前記少なくとも１つのメモリが、第２の持続時間にわたる第２のＴＸＯＰにおける前記スケジューリング許可に対応するアップリンクリソースを識別するように構成され、前記スケジューリング許可は、前記通信媒体が占有されている、前記第１のＴＸＯＰと前記第２のＴＸＯＰとの間の介在時間期間のためにスケジュールされた任意のアップリンクサブフレームを無視し、前記許可されたアップリンクリソースを前記第２のＴＸＯＰの間のアップリンクサブフレームに持ち越すように、前記アクセス端末を構成され、
前記少なくとも１つのトランシーバは、前記第２のＴＸＯＰの間に、前記識別されたアップリンクリソースで前記アクセスポイントにアップリンクシグナリングを送信するようにさらに構成される、通信装置。
【請求項１５】
前記少なくとも１つのトランシーバは、共通制御チャネルで前記スケジューリング許可を受信するようにさらに構成される、請求項１４に記載の装置。
【発明の詳細な説明】
【技術分野】
【０００１】
関連出願の相互参照
[0001]本出願は、本出願の譲受人に譲渡され、その全体が参照により本明細書に明確に組み込まれる、２０１５年８月１２日に出願された「Ｃｏｎｔｅｎｔｉｏｎ−Ｂａｓｅｄ  Ｃｏ−Ｅｘｉｓｔｅｎｃｅ  ｏｎ  ａ  Ｓｈａｒｅｄ  Ｃｏｍｍｕｎｉｃａｔｉｏｎ  Ｍｅｄｉｕｍ」と題する米国仮出願第６２／２０４，３０３号の利益を主張する。
【０００２】
[0002]本出願はまた、本出願の譲受人に譲渡され、その全体が参照により本明細書に明確に組み込まれる、本明細書と同時に出願された代理人整理番号第１５４７２８Ｕ２号を有する同時係属米国特許出願「Ｃｏｎｔｅｎｔｉｏｎ−Ｂａｓｅｄ  Ｃｏ−Ｅｘｉｓｔｅｎｃｅ  ｏｎ  ａ  Ｓｈａｒｅｄ  Ｃｏｍｍｕｎｉｃａｔｉｏｎ  Ｍｅｄｉｕｍ」に関する。
【０００３】
[0003]本開示の態様は、一般に、電気通信に関し、より詳細には、共有通信媒体上での動作などに関する。
【背景技術】
【０００４】
[0004]ワイヤレス通信システムは、音声、データ、マルチメディアなど、様々なタイプの通信コンテンツを提供するために広く展開されている。一般のワイヤレス通信システムは、利用可能なシステムリソース（たとえば、帯域幅、送信電力など）を共有することによって複数のユーザとの通信をサポートすることが可能な多元接続システムである。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどを含む。これらのシステムは、第３世代パートナーシッププロジェクト（３ＧＰＰ（登録商標））によって提供されたロングタームエボリューション（ＬＴＥ（登録商標））、第３世代パートナーシッププロジェクト２（３ＧＰＰ２）によって提供されたウルトラモバイルブロードバンド（ＵＭＢ）およびエボリューションデータオプティマイズド（ＥＶ−ＤＯ）、米国電気電子学会（ＩＥＥＥ）によって提供された８０２．１１などの仕様に準拠して展開されることが多い。
【０００５】
[0005]セルラーネットワークでは、「マクロセル」アクセスポイントは、ある地理的エリアで多数のユーザに接続およびカバレージを提供する。マクロネットワーク展開は、地理的領域で良好なカバレージを提供するために慎重に計画され、設計され、実装される。住居およびオフィスビルの場合などの屋内または他の特定の地理的カバレージを改善するために、追加の「スモールセル」、一般には低電力のアクセスポイントが、従来のマクロネットワークを補完するように最近展開され始めている。スモールセルアクセスポイントはまた、能力の漸進的増大、より豊かなユーザエクスペリエンスなどを提供し得る。
【０００６】
[0006]たとえば、スモールセルＬＴＥ動作は、ワイヤレスローカルエリアネットワーク（ＷＬＡＮ）技術によって使用されるＵｎｌｉｃｅｎｓｅｄ  Ｎａｔｉｏｎａｌ  Ｉｎｆｏｒｍａｔｉｏｎ  Ｉｎｆｒａｓｔｒｕｃｔｕｒｅ（Ｕ−ＮＩＩ）帯域などの免許不要（unlicensed）周波数スペクトルへと拡張されている。スモールセルＬＴＥ動作のこの拡張は、スペクトル効率、ひいてはＬＴＥシステムの能力を高めるために設計されている。しかしながら、それはまた、一般に「Ｗｉ−Ｆｉ（登録商標）」と呼ばれるＩＥＥＥ  ８０２．１１ｘ  ＷＬＡＮ技術を筆頭に、同じ免許不要帯域を一般に利用する他の無線アクセス技術（ＲＡＴ）の動作を侵害することがある。
【発明の概要】
【０００７】
[0007]以下の概要は、本開示の様々な態様の説明において助けとなるためにのみ与えられ、態様の限定ではなく、態様の例示のためにのみ与えられる大要である。
【０００８】
[0008]一例では、通信方法が開示される。本方法は、たとえば、第１の持続時間にわたる第１の送信機会（ＴＸＯＰ）のために通信媒体へのアクセスを求めて競合することと、第１のＴＸＯＰの間にアクセス端末に、第２の持続時間にわたる第２のＴＸＯＰのためにアップリンクリソースをアクセス端末に許可するスケジューリング許可を送信することと、第２のＴＸＯＰのために通信媒体へのアクセスを求めて競合することと、第２のＴＸＯＰの間に、許可されたアップリンクリソースでアクセス端末からアップリンクシグナリングを受信することとを含み得る。
【０００９】
[0009]別の例では、通信装置が開示される。本装置は、たとえば、少なくとも１つのプロセッサと、少なくとも１つのプロセッサに結合された少なくとも１つのメモリと、少なくとも１つのトランシーバとを含み得る。少なくとも１つのプロセッサおよび少なくとも１つのメモリは、第１の持続時間にわたる第１のＴＸＯＰのために通信媒体へのアクセスを求めて競合するように構成され得る。少なくとも１つのトランシーバは、第１のＴＸＯＰの間にアクセス端末に、第２の持続時間にわたる第２のＴＸＯＰのためにアップリンクリソースをアクセス端末に許可するスケジューリング許可を送信するように構成され得る。少なくとも１つのプロセッサおよび少なくとも１つのメモリは、第２のＴＸＯＰのために通信媒体へのアクセスを求めて競合するようにさらに構成され得る。少なくとも１つのトランシーバは、第２のＴＸＯＰの間に、許可されたアップリンクリソースでアクセス端末からアップリンクシグナリングを受信するようにさらに構成され得る。
【００１０】
[0010]別の例では、別の通信装置が開示される。本装置は、たとえば、第１の持続時間にわたる第１のＴＸＯＰのために通信媒体へのアクセスを求めて競合するための手段と、第１のＴＸＯＰの間にアクセス端末に、第２の持続時間にわたる第２のＴＸＯＰのためにアップリンクリソースをアクセス端末に許可するスケジューリング許可を送信するための手段と、第２のＴＸＯＰのために通信媒体へのアクセスを求めて競合するための手段と、第２のＴＸＯＰの間に、許可されたアップリンクリソースでアクセス端末からアップリンクシグナリングを受信するための手段とを含み得る。
【００１１】
[0011]別の例では、一時的または非一時的コンピュータ可読媒体が開示される。本コンピュータ可読媒体は、たとえば、第１の持続時間にわたる第１のＴＸＯＰのために通信媒体へのアクセスを求めて競合するためのコードと、第１のＴＸＯＰの間にアクセス端末に、第２の持続時間にわたる第２のＴＸＯＰのためにアップリンクリソースをアクセス端末に許可するスケジューリング許可を送信するためのコードと、第２のＴＸＯＰのために通信媒体へのアクセスを求めて競合するためのコードと、第２のＴＸＯＰの間に、許可されたアップリンクリソースでアクセス端末からアップリンクシグナリングを受信するためのコードとを含み得る。
【００１２】
[0012]別の例では、別の通信方法が開示される。本方法は、たとえば、第１の持続時間にわたる第１のＴＸＯＰの間に、アクセス端末による送信のためにアップリンクリソースを許可するスケジューリング許可をアクセスポイントから受信することと、第２の持続時間にわたる第２のＴＸＯＰにおけるスケジューリング許可に対応するアップリンクリソースを識別することと、第２のＴＸＯＰの間に、識別されたアップリンクリソースでアクセスポイントにアップリンクシグナリングを送信することとを含み得る。
【００１３】
[0013]別の例では、別の通信装置が開示される。本装置は、たとえば、少なくとも１つのプロセッサと、少なくとも１つのプロセッサに結合された少なくとも１つのメモリと、少なくとも１つのトランシーバとを含み得る。少なくとも１つのトランシーバは、第１の持続時間にわたる第１のＴＸＯＰの間に、アクセス端末による送信のためにアップリンクリソースを許可するスケジューリング許可をアクセスポイントから受信するように構成され得る。少なくとも１つのプロセッサおよび少なくとも１つのメモリは、第２の持続時間にわたる第２のＴＸＯＰにおけるスケジューリング許可に対応するアップリンクリソースを識別するように構成され得る。少なくとも１つのトランシーバは、第２のＴＸＯＰの間に、識別されたアップリンクリソースでアクセスポイントにアップリンクシグナリングを送信するようにさらに構成され得る。
【００１４】
[0014]別の例では、別の通信装置が開示される。本装置は、たとえば、第１の持続時間にわたる第１のＴＸＯＰの間に、アクセス端末による送信のためにアップリンクリソースを許可するスケジューリング許可をアクセスポイントから受信するための手段と、第２の持続時間にわたる第２のＴＸＯＰにおけるスケジューリング許可に対応するアップリンクリソースを識別するための手段と、第２のＴＸＯＰの間に、識別されたアップリンクリソースでアクセスポイントにアップリンクシグナリングを送信するための手段とを含み得る。
【００１５】
[0015]別の例では、別の一時的または非一時的コンピュータ可読媒体が開示される。本コンピュータ可読媒体は、たとえば、第１の持続時間にわたる第１のＴＸＯＰの間に、アクセス端末による送信のためにアップリンクリソースを許可するスケジューリング許可をアクセスポイントから受信するためのコードと、第２の持続時間にわたる第２のＴＸＯＰにおけるスケジューリング許可に対応するアップリンクリソースを識別するためのコードと、第２のＴＸＯＰの間に、識別されたアップリンクリソースでアクセスポイントにアップリンクシグナリングを送信するためのコードとを含み得る。
【００１６】
[0016]別の例では、別の通信方法が開示される。本方法は、たとえば、一連のフレームおよびサブフレームを定義する時分割複信（ＴＤＤ）フレーム構造に従って通信媒体で情報を受信することと、通信媒体で確認応答チャネルを搬送するためのサブフレームリソースのセットを決定することと、ここにおいて、サブフレームリソースの決定されたセットがサブフレームのしきい値割合（a threshold fraction）以下を占有し、サブフレームリソースの決定されたセットを介して確認応答チャネルで、受信された情報に関連する１つまたは複数の確認応答メッセージを送信することとを含み得る。
【００１７】
[0017]別の例では、別の通信装置が開示される。本装置は、たとえば、少なくとも１つのプロセッサと、少なくとも１つのプロセッサに結合された少なくとも１つのメモリと、少なくとも１つのトランシーバとを含み得る。少なくとも１つのトランシーバは、一連のフレームおよびサブフレームを定義するＴＤＤフレーム構造に従って通信媒体で情報を受信するように構成され得る。少なくとも１つのプロセッサおよび少なくとも１つのメモリは、通信媒体で確認応答チャネルを搬送するためのサブフレームリソースのセットを決定するように構成され得、ここにおいて、サブフレームリソースの決定されたセットがサブフレームのしきい値割合以下を占有する。少なくとも１つのトランシーバは、サブフレームリソースの決定されたセットを介して確認応答チャネルで、受信された情報に関連する１つまたは複数の確認応答メッセージを送信するようにさらに構成され得る。
【００１８】
[0018]別の例では、別の通信装置が開示される。本装置は、たとえば、一連のフレームおよびサブフレームを定義するＴＤＤフレーム構造に従って通信媒体で情報を受信するための手段と、通信媒体で確認応答チャネルを搬送するためのサブフレームリソースのセットを決定するための手段と、ここにおいて、サブフレームリソースの決定されたセットがサブフレームのしきい値割合以下を占有し、サブフレームリソースの決定されたセットを介して確認応答チャネルで、受信された情報に関連する１つまたは複数の確認応答メッセージを送信するための手段とを含み得る。
【００１９】
[0019]別の例では、別の一時的または非一時的コンピュータ可読媒体が開示される。本コンピュータ可読媒体は、たとえば、一連のフレームおよびサブフレームを定義するＴＤＤフレーム構造に従って通信媒体で情報を受信するためのコードと、通信媒体で確認応答チャネルを搬送するためのサブフレームリソースのセットを決定するためのコードと、ここにおいて、サブフレームリソースの決定されたセットがサブフレームのしきい値割合以下を占有し、サブフレームリソースの決定されたセットを介して確認応答チャネルで、受信された情報に関連する１つまたは複数の確認応答メッセージを送信するためのコードとを含み得る。
【００２０】
[0020]別の例では、別の通信方法が開示される。本方法は、たとえば、ＴＤＤフレーム構造に従って通信媒体で発見基準シグナリングの送信のための１つまたは複数のサブフレームを指定することと、指定されたサブフレームの各々の間に発見基準シグナリングを送信することとを含み得、ここにおいて、発見基準シグナリングが１次同期信号（ＰＳＳ）と、２次同期信号（ＳＳＳ）と、セル固有基準信号（ＣＲＳ）と、チャネル状態情報基準信号（ＣＳＩ−ＲＳ）と、マスタ情報ブロック（ＭＩＢ）信号と、システム情報ブロック（ＳＩＢ）信号とを備える。
【００２１】
[0021]別の例では、別の通信装置が開示される。本装置は、たとえば、少なくとも１つのプロセッサと、少なくとも１つのプロセッサに結合された少なくとも１つのメモリと、少なくとも１つのトランシーバとを含み得る。少なくとも１つのプロセッサおよび少なくとも１つのメモリは、ＴＤＤフレーム構造に従って通信媒体で発見基準シグナリングの送信のための１つまたは複数のサブフレームを指定するように構成され得る。少なくとも１つのトランシーバは、指定されたサブフレームの各々の間に発見基準シグナリングを送信するように構成され得、ここにおいて、発見基準シグナリングがＰＳＳと、ＳＳＳと、ＣＲＳと、ＣＳＩ−ＲＳと、ＭＩＢ信号と、ＳＩＢ信号とを備える。
【００２２】
[0022]別の例では、別の通信装置が開示される。本装置は、たとえば、ＴＤＤフレーム構造に従って通信媒体で発見基準シグナリングの送信のための１つまたは複数のサブフレームを指定するための手段と、指定されたサブフレームの各々の間に発見基準シグナリングを送信するための手段とを含み得、ここにおいて、発見基準シグナリングがＰＳＳと、ＳＳＳと、ＣＲＳと、ＣＳＩ−ＲＳと、ＭＩＢ信号と、ＳＩＢ信号とを備える。
【００２３】
[0023]別の例では、別の一時的または非一時的コンピュータ可読媒体が開示される。本コンピュータ可読媒体は、たとえば、ＴＤＤフレーム構造に従って通信媒体で発見基準シグナリングの送信のための１つまたは複数のサブフレームを指定するためのコードと、指定されたサブフレームの各々の間に発見基準シグナリングを送信するためのコードとを含み得、ここにおいて、発見基準シグナリングがＰＳＳと、ＳＳＳと、ＣＲＳと、ＣＳＩ−ＲＳと、ＭＩＢ信号と、ＳＩＢ信号とを備える。
【００２４】
[0024]添付の図面は、本開示の様々な態様の説明において助けとなるように提示され、態様の限定ではなく、態様の例示のためにのみ与えられるものである。
【図面の簡単な説明】
【００２５】
【図１】[0025]例示的なワイヤレスネットワーク環境を示すシステムレベル図。
【図２】[0026]例示的な仮想時分割複信（ＴＤＤ）フレーム構造を示す図。
【図３】[0027]例示的な強化型発見基準シグナリング（ｅＤＲＳ：Enhanced Discovery Reference Signaling）構成を示すリソースブロック図。
【図４】[0028]ダウンリンク媒体アクセスの一例を示す図。
【図５】[0029]ＲＡＴ間協調のための例示的なチャネル予約メッセージを示す図。
【図６】[0030]ダウンリンク媒体アクセスの別の例を示す図。
【図７】[0031]さらなるＲＡＴ間協調のための例示的なチャネル予約メッセージを示す図。
【図８】[0032]アップリンク媒体アクセスの一例を示す図。
【図９】[0033]アップリンク波形の一例を示す図。
【図１０】[0034]例示的な持越し（carry-over）アップリンク許可方式を示す図。
【図１１】[0035]確認応答チャネルフォーマットを示すリソースマップ。
【図１２】[0036]ダウンリンクトラフィックに確認応答するための漸進的アップリンク確認応答方式を示す図。
【図１３】[0037]再送信手順を示すフローチャート。
【図１４】[0038]アップリンクトラフィックに確認応答するための例示的なダウンリンク確認応答方式を示すフロー図。
【図１５】[0039]例示的な不連続送信（ＤＴＸ）通信方式のいくつかの態様を示す図。
【図１６】[0040]システム収集（acquisition）手順を示すシグナリングフロー図。
【図１７】[0041]例示的なランダムアクセス手順を示すシグナリングフロー図。
【図１８】[0042]例示的なランダムアクセス手順を示すタイミング図。
【図１９】[0043]例示的なページング構造を示すタイミング図。
【図２０】[0044]ハンドオーバ手順の例示的な態様を示すシグナリングフロー図。
【図２１】[0045]事業者間フレームずらし（inter-operator frame staggering）の一例を示す図。
【図２２】[0046]本明細書で説明される技法による通信の例示的な方法を示すフロー図。
【図２３】[0047]本明細書で説明される技法による通信の別の例示的な方法を示すフロー図。
【図２４】[0048]本明細書で説明される技法による通信の別の例示的な方法を示すフロー図。
【図２５】[0049]本明細書で説明される技法による通信の別の例示的な方法を示すフロー図。
【図２６】[0050]アクセスポイントおよびアクセス端末の例示的なコンポーネントをより詳細に示すデバイスレベル図。
【図２７】[0051]一連の相互に関係する機能モジュールとして表された例示的な装置を示す図。
【図２８】[0052]一連の相互に関係する機能モジュールとして表された別の例示的な装置を示す図。
【図２９】[0053]一連の相互に関係する機能モジュールとして表された別の例示的な装置を示す図。
【図３０】[0054]一連の相互に関係する機能モジュールとして表された別の例示的な装置を示す図。
【詳細な説明】
【００２６】
[0055]本開示は、一般に、共有通信媒体上で動作する無線アクセス技術（ＲＡＴ）間の共存技法に関する。共有通信媒体上で実装される（implemented）フレーム構造のための基準シグナリング、ダウンリンク媒体アクセス、アップリンク媒体アクセス、リソース再使用、チャネル構造、確認応答方式、公平性（fairness）、収集、ランダムアクセス、ページング、モビリティ、事業者間軽減などの態様を容易にするための様々な技法が以下で詳細に説明される。
【００２７】
[0056]一例として、アクセス端末には事実上トランスペアレントな（transparent）アクセス不可能の介在期間を作るために、送信機会（ＴＸＯＰ）にわたってスケジューリング許可（scheduling grants）がまとめられ（be stitched together）得る。ロバストネス（robustness）のために、各ダウンリンクサブフレームの間などの各ＴＸＯＰの間にスケジューリング許可が１回または数回再送信され得る。別の例として、通信媒体で確認応答チャネルを搬送するためのサブフレームリソースが、比較的短い持続時間（たとえば、１つまたは２つのシンボル期間）にわたるように構成され得る。これは、確認応答シグナリングが、所与のフレームの短いが競合なしの割合（a short but contention-free fraction）に凝縮されること、またはさもなければ、確認応答シグナリングに必要とされる競合の量を減らすことを可能にし得る。短い持続時間を補償するために、確認応答チャネルは追加の周波数リソースに拡散され得る。またさらなる例として、様々な基準シグナリングおよび制御シグナリングが、１つまたは複数の指定されたサブフレーム上で送られる発見基準シグナリングに統合され得る。発見基準シグナリングは周期的に、また必要に応じて、発見基準シグナリングの少なくともいくつかの場合に通信媒体へのより迅速なアクセスを提供するために、より積極的な（aggressive）競合パラメータに従って送られ得る。
【００２８】
[0057]本開示のより具体的な態様が、例示の目的で提供される様々な例を対象とする以下の説明および関連する図面において提供される。本開示の範囲から逸脱することなく、代替態様が考案され得る。さらに、より関係のある詳細をあいまいにしないために、本開示の周知の態様は詳細に説明されないことがある、または省略されることがある。
【００２９】
[0058]以下で説明される情報および信号は、多種多様な技術および技法のいずれかを使用して表され得ることを当業者は諒解されよう。たとえば、以下の説明全体を通じて言及され得るデータ、命令、コマンド、情報、信号、ビット、シンボル、およびチップは、部分的に特定の適用例、部分的に所望の設計、部分的に対応する技術などに応じて、電圧、電流、電磁波、磁場もしくは磁性粒子、光場もしくは光学粒子、またはそれらの任意の組合せによって表され得る。
【００３０】
[0059]さらに、多くの態様が、たとえば、コンピューティングデバイスの要素によって実行されるアクションのシーケンスに関して説明される。本明細書で説明される様々なアクションは、特定の回路（たとえば、特定用途向け集積回路（ＡＳＩＣ））によって、１つもしくは複数のプロセッサによって実行されるプログラム命令によって、または両方の組合せによって実行され得ることが認識されよう。さらに、本明細書で説明される態様の各々について、任意のそのような態様の対応する形式が、たとえば、説明されるアクションを実行する「ように構成された論理」として実装されることがある。
【００３１】
[0060]図１は、例として、「１次」無線アクセス技術（ＲＡＴ）システム１００と「競合」ＲＡＴシステム１５０とを含むものとして示されている、例示的なワイヤレスネットワーク環境を示すシステムレベル図である。各システムは、様々なタイプの通信（たとえば、音声、データ、マルチメディアサービス、関連する制御シグナリングなど）に関係する情報を含め、ワイヤレスリンクで受信および／または送信することが一般に可能な異なるワイヤレスノードから構成され得る。１次ＲＡＴシステム１００は、ワイヤレスリンク１３０で互いに通信しているアクセスポイント１１０とアクセス端末１２０とを含むものとして示されている。競合ＲＡＴシステム１５０は、別個のワイヤレスリンク１３２で互いに通信している２つの競合ノード１５２を含むものとして示されており、同様に、１つまたは複数のアクセスポイント、アクセス端末、または他のタイプのワイヤレスノードを含み得る。一例として、１次ＲＡＴシステム１００のアクセスポイント１１０およびアクセス端末１２０は、ロングタームエボリューション（ＬＴＥ）技術に従ってワイヤレスリンク１３０を介して通信し得る一方、競合ＲＡＴシステム１５０の競合ノード１５２は、Ｗｉ−Ｆｉ技術に従ってワイヤレスリンク１３２を介して通信し得る。各システムは地理的領域にわたって分散された任意の数のワイヤレスノードをサポートし得、示されたエンティティは単に例示のために示されていることが諒解されよう。
【００３２】
[0061]別段に記載されていない限り、「アクセス端末」および「アクセスポイント」という用語は、具体的なものであること、または特定のＲＡＴに限定されることは意図されていない。一般に、アクセス端末は、ユーザが通信ネットワークで通信することを可能にする任意のワイヤレス通信デバイス（たとえば、モバイルフォン、ルータ、パーソナルコンピュータ、サーバ、エンターテインメントデバイス、モノのインターネット（ＩＯＴ）／あらゆるモノのインターネット（ＩＯＥ：Internet of Everything）対応デバイス、車載通信デバイスなど）であり得、代替的に、様々なＲＡＴ環境において、ユーザデバイス（ＵＤ）、移動局（ＭＳ）、加入者局（ＳＴＡ）、ユーザ機器（ＵＥ）などと呼ばれることがある。同様に、アクセスポイントは、アクセスポイントが展開されているネットワークに応じて、アクセス端末と通信する際に１つまたはいくつかのＲＡＴに従って動作し得、代替的に、基地局（ＢＳ）、ネットワークノード、ノードＢ、発展型ノードＢ（ｅＮＢ）などと呼ばれることがある。そのようなアクセスポイントは、たとえば、スモールセルアクセスポイントに対応し得る。「スモールセル」は、一般に、フェムトセル、ピコセル、マイクロセル、ワイヤレスローカルエリアネットワーク（ＷＬＡＮ）アクセスポイント、他の小カバレージエリアアクセスポイントなどを含むか、またはさもなければそのように呼ばれ得る低電力アクセスポイントのクラスを指す。スモールセルがマクロセルカバレージを補完するために展開され得、それは、近隣内の数ブロックまたは地方の環境における数平方マイルをカバーすることができ、それによって、改善されたシグナリング、能力の漸進的増大、より豊かなユーザエクスペリエンスなどにつながり得る。
【００３３】
[0062]図１に戻ると、１次ＲＡＴシステム１００によって使用されるワイヤレスリンク１３０および競合ＲＡＴシステム１５０によって使用されるワイヤレスリンク１３２は、共有通信媒体１４０で動作し得る。このタイプの通信媒体は、（たとえば、１つまたは複数のキャリアにわたって１つまたは複数のチャネルを包含する）１つまたは複数の周波数、時間、および／または空間通信リソースから構成され得る。一例として、通信媒体１４０は、免許不要周波数帯域の少なくとも一部分に対応し得る。異なる免許（licensed）周波数帯域が（たとえば、米国における連邦通信委員会（ＦＣＣ）などの政府機関によって）いくつかの通信のために予約されているが、いくつかのシステム、特にスモールセルアクセスポイントを利用するシステムは動作を、Ｗｉ−Ｆｉを含むＷＬＡＮ技術によって使用されるＵｎｌｉｃｅｎｓｅｄ  Ｎａｔｉｏｎａｌ  Ｉｎｆｏｒｍａｔｉｏｎ  Ｉｎｆｒａｓｔｒｕｃｔｕｒｅ（Ｕ−ＮＩＩ）帯域などの免許不要周波数帯域に拡張させている。
【００３４】
[0063]通信媒体１４０の共用（shared use）に起因して、ワイヤレスリンク１３０とワイヤレスリンク１３２との間のクロスリンク干渉の可能性がある。さらに、いくつかのＲＡＴおよびいくつかの管轄区域（jurisdictions）は、通信媒体１４０へのアクセスのために競合または「リッスンビフォアトーク（ＬＢＴ）」を必要とし得る。一例として、クリアチャネルアセスメント（ＣＣＡ）プロトコルが使用されることがあり、そこでは、各デバイスが媒体感知を介して、共有通信媒体上に他のトラックがないことを、それ自体の送信のために通信媒体を捕らえる（およびいくつかの場合には予約する）前に検証する。いくつかの設計では、ＣＣＡプロトコルは、通信媒体をそれぞれＲＡＴ内トラフィックおよびＲＡＴ間トラフィックに譲る（yielding）ための、固有のＣＣＡプリアンブル検出（ＣＣＡ−ＰＤ）およびＣＣＡエネルギー検出（ＣＣＡ−ＥＤ）の機構を含み得る。欧州電気通信標準化機構（ＥＴＳＩ）は、たとえば、免許不要周波数帯域など、ある種の通信媒体上でのデバイスのＲＡＴに関係ないすべてのデバイスに関する競合を規定している。
【００３５】
[0064]以下でより詳細に説明されるように、アクセスポイント１１０および／またはアクセス端末１２０は、上記で簡単に説明された競合技法を提供またはさもなければサポートするように、本明細書の教示に従って様々に構成され得る。たとえば、アクセスポイント１１０は媒体アクセスマネージャ１１２を含み得、アクセス端末１２０は媒体アクセスマネージャ１２２を含み得る。媒体アクセスマネージャ１１２および／または媒体アクセスマネージャ１２２は、通信媒体１４０へのアクセスを求める競合を管理するために異なる方法で構成され得る。
【００３６】
[0065]図２は、アクセスポイント１１０／アクセス端末１２０と競合ＲＡＴシステム１５０との間の競合ベースのアクセスを容易にするために通信媒体１４０上で１次ＲＡＴシステム１００のために実装され得る例示的な仮想時分割複信（ＴＤＤ）フレーム構造を示す。
【００３７】
[0066]図示のフレーム構造は、システムフレーム番号（ＳＦＮ）ヌメロロジー（numerology）に従って番号付けされ（たとえば、ＳＦＮ  Ｎ、Ｎ＋１、Ｎ＋２など）、同じく参照のために番号付けされ得る（たとえば、ＳＦ０、ＳＦ１など）それぞれのサブフレーム（ＳＦ）に分割されている一連の無線フレーム（ＲＦ）を含む。一例として、ＬＴＥフレーム構造は、それぞれ１０個のサブフレームから構成された１０２４個の番号付けされた無線フレームに分割されているシステムフレームを含み、これらが合わさって（たとえば、１ｍｓのサブフレームを有する１０ｍｓの無線フレームの場合に１０．２４ｓ続く）ＳＦＮサイクルを構成する。フレーム構造の使用は、よりアドホックなシグナリング技法よりも自然で効率的なデバイス間協調を提供し得る。
【００３８】
[0067]図２の例示的なフレーム構造は、各サブフレームがダウンリンク（Ｄ）サブフレーム、アップリンク（Ｕ）サブフレーム、または特殊（Ｓ）サブフレームとして異なる時間に様々に動作し得るという点で、ＴＤＤである。一般に、ダウンリンクサブフレームは、アクセスポイント１１０からアクセス端末１２０にダウンリンク情報を送信するために予約され、アップリンクサブフレームは、アクセス端末１２０からアクセスポイント１１０にアップリンク情報を送信するために予約され、特殊サブフレームは、ガード期間によって分けられたダウンリンク部分とアップリンク部分とを含み得る。無線フレーム内のダウンリンクサブフレーム、アップリンクサブフレーム、および特殊サブフレームの異なる配列（arrangements）は、異なるＴＤＤ構成と呼ばれ得る。上記のＬＴＥの例に戻ると、ＬＴＥフレーム構造のＴＤＤ変形態は７個のＴＤＤ構成（ＴＤＤ  Ｃｏｎｆｉｇ０からＴＤＤ  Ｃｏｎｆｉｇ６）を含み、各構成が、ダウンリンクサブフレーム、アップリンクサブフレーム、および特殊サブフレームの異なる配列を有する。たとえば、異なるトラフィックシナリオに適応するために、より多くのダウンリンクサブフレームを有し得るＴＤＤ構成もあれば、より多くのアップリンクサブフレームを有し得るＴＤＤ構成もある。図２の図示の例では、ＬＴＥにおけるＴＤＤ  Ｃｏｎｆｉｇ３と同様であるＴＤＤ構成が用いられている。用いられる特定のＴＤＤ構成は、システム情報ブロック（ＳＩＢ）メッセージ、制御領域におけるＴＤＤフレームフォーマットを示すための新しい物理チャネルなど（たとえば、ＬＴＥにおけるＳＩＢ−１メッセージ）を使用してアクセスポイント１１０によってブロードキャストされ得る。
【００３９】
[0068]各ＴＤＤ構成は異なるが、すべてのＴＤＤ構成にわたって同じである１つまたは複数のサブフレームがあり得る。これらのサブフレームは、本明細書ではアンカーサブフレームと呼ばれる。再び上記のＬＴＥの例に戻ると、ＴＤＤ  Ｃｏｎｆｉｇ０からＴＤＤ  Ｃｏｎｆｉｇ６のＴＤＤ構成の各々にわたって各無線フレームにおいて、サブフレームＳＦ０はダウンリンクサブフレームであり、サブフレームＳＦ１は特殊サブフレームであり、サブフレームＳＦ２はアップリンクサブフレームであり、サブフレームＳＦ５はダウンリンクサブフレームである。図示の例では、アンカーサブフレームは同様に各無線フレームのサブフレームＳＦ０、ＳＦ１、ＳＦ２、およびＳＦ５に対応するが、異なるシステムでは特定のアンカーキャリアの指定が異なり得ることが諒解されよう。
【００４０】
[0069]図２の例示的なフレーム構造は、通信媒体１４０にアクセスするための競合手順に起因して所与の場合に１次ＲＡＴシグナリングによって各サブフレームが占有されること、または占有されないことがあるという点で、仮想的である。一般に、アクセスポイント１１０またはアクセス端末１２０が、所与のサブフレームのための競合に勝つことができなかった場合、そのサブフレームは不通にされ（be silenced）得る。
【００４１】
[0070]図２にさらに示すように、１つまたは複数のサブフレームは、本明細書では強化型発見基準シグナリング（ｅＤＲＳ）と呼ばれるものを含むように指定され得る。ｅＤＲＳは、システム動作を容易にするための選択制御シグナリングを伝達するように構成され得る。制御シグナリングは、タイミング同期、システム収集、干渉測定（たとえば、無線リソース測定（ＲＲＭ）／無線リンク測定（ＲＬＭ））、追跡ループ、利得制御（たとえば、自動利得制御（ＡＧＣ））、ページングなどにかかわる情報を含み得る。たとえば、ｅＤＲＳは、１次同期信号（ＰＳＳ）、２次同期信号（ＳＳＳ）、セル固有基準信号（ＣＲＳ）、チャネル状態情報基準信号（ＣＳＩ−ＲＳ）、マスタ情報ブロック（ＭＩＢ）信号、システム情報ブロック（ＳＩＢ）信号、ページングチャネル（ＰＣＨ）信号、ランダムアクセスチャネル（ＲＡＣＨ）信号、およびそれらの様々な組合せを含み得る。ＬＴＥでは、たとえば、様々なＳＦ０シグナリング（たとえば、ＣＲＳ、ＳＳＳ、ＭＩＢ）は他のシグナリング（たとえば、ＰＳＳ、ＳＩＢ１、ＳＩＢ２、ＰＣＨ、ＲＡＣＨ、より低い周期性を有するもの）とともに、それは示され得る、サブフレームリソースを過度に消費することなく、すべての必須のｅＤＲＳ情報を提供する共通サブフレーム（たとえば、ＳＦ０）に統合され得る。
【００４２】
[0071]図３は、所与のサブフレームのスロットにわたる例示的なｅＤＲＳ構成を示すリソースブロック図である。この例では、ｅＤＲＳは、ＳＳＳおよび強化型ＳＳＳ（ｅＳＳＳ）と、ＰＳＳおよび強化型ＰＳＳ（ｅＰＳＳ）と、ＭＩＢと、物理ダウンリンク制御チャネル（ＰＤＣＣＨ）と、ＣＲＳと、ＣＳＩ−ＲＳと、強化型ＳＩＢ（ｅＳＩＢ）シグナリングとを含む。
【００４３】
[0072]ネットワークの検出および識別を容易にするために、ＰＳＳ／ＳＳＳは、時間および／または周波数空間にわたって、数（たとえば、２〜４）回繰り返され得る。時間にわたる繰返しの場合、３つの新しいＰＳＳフェーズが、たとえば、いくつかのアクセス端末を混乱させるのを回避するために使用され得る。この手法は周波数ダイバーシティを欠いていることがあるが、実装するのがより簡単でもあり得る。周波数にわたる繰返しの場合、既存のＰＳＳフェーズが再使用され得る。この手法は、周波数ダイバーシティに起因してより良好なパフォーマンスを提供し得るが、さほど実装しやすいものではないことがある。さらに、ネットワーク検出のロバストネスを高めるために、アクセスポイント１１０は、１つまたは複数の信号をそれのパブリックランドモバイルネットワーク識別子（ＰＬＭＮ  ＩＤ）などとともにスクランブルし得る。一例として、ＣＲＳがＰＬＭＮ  ＩＤとともにスクランブルされ得、それは、広帯域の高密度信号を提供する。別の例として、ＣＳＩ−ＲＳがＰＬＭＮ  ＩＤとともにスクランブルされ得るが、得られる信号は、ＣＲＳと比較して低密度であり得る。別の例として、ＭＩＢはＰＬＭＮ  ＩＤを含み得る。
【００４４】
[0073]さらに、ｅＤＲＳシグナリングは、不連続受信（ＤＲＸ）スケジューリングの目的でアクセス端末１２０にダウンリンクトラフィック情報を伝達するためのトラフィックインジケータを含み得る。アクセス端末１２０にとって、アクセス端末１２０に向けられたダウンリンクトラフィックの欠如ではなく通信媒体１４０上の競合または干渉に起因して空であり得る、空の送信時間間隔をカウントするのではなく、そのようなトラフィックインジケータに基づいてそれのＤＲＸタイマーを設定することは有利であり得る。
【００４５】
[0074]図２に戻ると、図示のように、ｅＤＲＳは、各無線フレームの指定されたサブフレームにおいて周期的に（たとえば、１０ｍｓごとに）送信され得る。たとえば、ｅＤＲＳは、（例として、第１のサブフレームＳＦ０として示されている）条件ＳＦＮ  ｍｏｄ  ｅＤＲＳ＿Ｃｙｃｌｅ＝０を満たす各サブフレームにおいて周期性ｅＤＲＳ＿Ｃｙｃｌｅに従って送信され得る。いくつかの展開では、アクセスポイント１１０は、通信媒体１４０へのアクセスを求めて競合することなく、指定されたｅＤＲＳサブフレームを自動的に送信し得る。たとえば、欧州における現在のＥＴＳＩ競合ルールの規定は、競合が本来であれば一般に必要とされていても、競合の必要なしに送信の一定割合（たとえば、５％）が進むことを許容している。指定されたｅＤＲＳサブフレームは、かなり重要なシステム情報を含むので、アクセスポイント１１０は、競合なしの送信のそれの許容割合を、指定されたｅＤＲＳサブフレームとアラインし（align）得る。
【００４６】
[0075]一方、他の展開では、アクセスポイント１１０は、指定されたｅＤＲＳサブフレームを送信するために、通信媒体１４０へのアクセスを求めて競合する必要があり得る。図示の例では、アクセスポイント１１０は、指定されたｅＤＲＳサブフレームまでの１つまたは複数のサブフレームにおいて、指定されたｅＤＲＳサブフレームのための競合を開始し得、直前のサブフレームは、例示の目的で示されている。通信媒体１４０が捕らえられると、アクセスポイント１１０は、種々のシグナリング（たとえば、充填（filling）メッセージ、基準信号、またはプリアンブル）、チャネル予約シグナリング（たとえば、自己送信可（ＣＴＳ２Ｓ）メッセージ）などを送信することによって、指定されたｅＤＲＳサブフレームのためにそれを押さえ（hold）得る。
【００４７】
[0076]通常のシグナリングの場合など、いくつかの事例では、アクセスポイント１１０は、競合ＲＡＴシステム１５０に対してかなり遅延し得る比較的日和見的な競合パラメータを使用して、通信媒体１４０に対して競合し得る。一方、指定されたｅＤＲＳサブフレームのために通信媒体１４０へのアクセスを優先するためなど、他の事例では、アクセスポイント１１０は、比較的積極的な競合パラメータ（たとえば、シングルショットＣＣＡ、比較的低いバックオフしきい値、比較的小さい競合ウィンドウなど）を使用して、通信媒体１４０に対して競合し得る。一例として、アクセスポイント１１０は、指定されたｅＤＲＳサブフレームまで比較的低いしきい値（たとえば、遅延ＣＣＡ−ＰＤバックオフしきい値を定義する２０ＭＨｚあたり−８２ｄＢｍ）でシグナリングエネルギーが検出されたときには、競合ＲＡＴシステム１５０に対してアクセスを通常は延期し得る一方、アクセスポイント１１０は、代わりに、より高いしきい値（たとえば、より小さい遅延ＣＣＡ−ＥＤバックオフしきい値を定義する２０ＭＨｚあたり−６０ｄＢｍ）を利用し得る。別の例として、アクセスポイント１１０は、より長い競合ウィンドウを必要とし得る比較的長い送信機会（ＴＸＯＰ）（たとえば、１無線フレーム）のために通常は競合し得る一方、アクセスポイント１１０は、代わりに、通信媒体１４０へのアクセスをより迅速に確保する（secure）ために、より短い競合ウィンドウを使用して、より短いＴＸＯＰ（たとえば、指定されたｅＤＲＳサブフレームを送信するのに十分な１サブフレーム）のために競合し得る。積極的な競合は、積極的な競合周期性に従って周期的に、たとえば、積極的な競合周期性とアラインするそれらの事例の場合に数無線フレーム（たとえば、ＴAC-eDRS＝２〜４無線フレーム）ごとに実行され得、日和見的な競合は、他の無線フレームにおいて実行される。
【００４８】
[0077]図４は、図２の仮想ＴＤＤフレーム構造によるダウンリンク媒体アクセスの一例を示す。例示の目的で、アクセスポイント１１０は、同じフレーム構造に従って動作する別のアクセスポイント４１０を含む協調システムの一部として示されている。アクセスポイント１１０およびアクセスポイント４１０は、たとえば、同じ事業者によって提供され得る。
【００４９】
[0078]図示のように、競合プロセスの間のある時点に、通信媒体１４０はクリア（ＣＣＡクリア）になり、アクセスポイント１１０はそれを捕らえる。アクセスポイント１１０は、一定の時間期間（たとえば、１無線フレーム）の間それ自体のために通信媒体１４０を予約するために、競合ＲＡＴシステム１５０のために定義されたチャネル予約メッセージ（ＲＳＶ）４０２を送り得る。一例として、アクセスポイント１１０および４１０は、ＬＴＥまたはＭｕｌｔｅＦｉｒｅなどの１次ＲＡＴに関連するフレーム構造を使用して動作し得る一方、競合ＲＡＴ１５０は、共有通信媒体１４０の予約を必要とするＷＬＡＮベースのＲＡＴであり得る。したがって、アクセスポイント１１０は、競合ＲＡＴ１５０のプロトコルに従って共有通信媒体１４０を予約し得るが、１次ＲＡＴのフレーム構造を使用して動作するために予約済みリソースを使用し得る。
【００５０】
[0079]チャネル予約メッセージ４０２は、１次ＲＡＴ動作のために通信媒体１４０を予約するために（たとえば、競合ＲＡＴ固有トランシーバを介して）通信媒体１４０で送信され得る。例示的なチャネル予約メッセージは、たとえば、８０２．１１ａデータパケット、自己送信可（ＣＴＳ２Ｓ）メッセージ、送信要求（ＲＴＳ）メッセージ、送信可（ＣＴＳ）メッセージ、物理レイヤコンバージェンスプロトコル（ＰＬＣＰ）ヘッダ（たとえば、レガシー信号（Ｌ−ＳＩＧ）、高スループット信号（ＨＴ−ＳＩＧ）、もしくは超高スループット信号（ＶＨＴ−ＳＩＧ））、および競合Ｗｉ−Ｆｉ  ＲＡＴのための同様のメッセージ、または該当する他の競合ＲＡＴ（other competing RATs of interest）のために定義された他の同様のメッセージを含み得る。チャネル予約メッセージ４０２は、アクセスポイント１１０がアクセスを求めて競合したターゲットＴＸＯＰの持続時間に対応する持続時間インジケーション（たとえば、ネットワーク割振りベクトル（ＮＡＶ））を含み得る。
【００５１】
[0080]さらに、チャネル予約メッセージ４０２は、チャネル予約メッセージ４０２の性質について、１次ＲＡＴに従って動作する他のデバイス（たとえば、アクセスポイント４１０）に知らせる（alert）ための、１次ＲＡＴに関連する識別子を含み得る。例示的な識別子は、１次ＲＡＴ動作を伝達するために選択された、新しい専用識別子または既存の再利用された（repurposed）識別子を含み得る。チャネル予約メッセージ４０２とともにそのような識別子を利用することによって、アクセスポイント４１０は、同様にそれ自体の１次ＲＡＴ通信のために通信媒体１４０が利用可能なままであると決定することができ、それは、１次ＲＡＴ自体に組み込まれた追加のＲＡＴ内協調機構（たとえば、符号分割多重化など）を介して進むことができる。このようにして、一方が他方に干渉することなく（たとえば、Ｗｉ−Ｆｉ媒体アクセス制御（ＭＡＣ）手順によりＬＴＥ  ＭＡＣ手順が、Ｗｉ−Ｆｉトラフィックとして誤って認識され得るものに基づいて媒体アクセスを制限することなく）両方のＲＡＴによって提供されたＭＡＣ手順を利用する「混合モード」ＭＡＣ方式が用いられ得る。
【００５２】
[0081]図５は、ＲＡＴ間協調のための例示的なチャネル予約メッセージを示す。この例では、チャネル予約メッセージ４０２は、ＲＡＴ識別子フィールド５０２と、持続時間フィールド５０４と、随意に、所与の実装形態に必要とされる他のパラメータ５０６とを含む。上記で説明されたように、持続時間フィールド５０４は、所与のＴＸＯＰの持続時間を示すように設定され得る。他のパラメータ５０６は、受信機／送信機アドレス指定（addressing）、誤り訂正などに関係するフィールドを含み得る。たとえば、他のパラメータ５０６は、フレーム制御フィールドと、受信機アドレスフィールドと、ＣＴＳまたはＣＴＳ２Ｓチャネル予約メッセージのためのフレームチェックシーケンスフィールドとを含み得る。
【００５３】
[0082]ＲＡＴ識別子フィールド５０２は、様々な方法で、ヘッダ部分（たとえば、ＭＡＣヘッダもしくはＰＨＹヘッダ）として、またはヘッダ部分の一部、スタンドアロン情報要素（ＩＥ）として、またはＩＥの一部などを含む、チャネル予約メッセージ４０２の様々な部分に実装され得る。いくつかの設計では、ＲＡＴ識別子フィールド５０２は、チャネル予約メッセージ４０２に追加され、ＲＡＴ識別にのみ使用される専用識別子であり得る。他の設計では、ＲＡＴ識別子フィールド５０２は、以前に使用されていないビットセットまたは予約済みビットセットから切り取られ（be carved out of）得る。さらに他の設計では、ＲＡＴ識別子フィールド５０２は、所定の値によって再利用される既存の識別子に対応し得る。
【００５４】
[0083]一例として、チャネル予約メッセージ４０２を送信するためにシグナリングプロトコルが使用される競合ＲＡＴではなく１次ＲＡＴの動作に関連してチャネル予約メッセージ４０２が送信されていることを示すための識別子として、基本サービスセット識別子（ＢＳＳＩＤ）などのネットワーク識別子の特定の値が使用され得る。別の例として、受信機アドレス（ＲＡ）の特定の値が（たとえば、ネットワークインターフェースカード（ＮＩＣ）のＭＡＣ  ＩＤを定義するために従来使用されたＷｉ−Ｆｉ  ＣＴＳフレームのＲＡフィールドにおいて）識別子として使用され得る。
【００５５】
[0084]別の例として、持続時間値の特定の範囲が識別子として使用され得る。いくつかの設計では、範囲は、競合ＲＡＴ動作の型にはまらないしきい値によって区別され得る。たとえば、Ｗｉ−Ｆｉ  ＣＴＳパケットによって示される典型的な持続時間値は、（たとえば、最大ＴＸＯＰ長さである５．４８４ｍｓを下回るか、またはそれに等しい）典型的なＷｉ−Ｆｉパケットの長さによって限定される。したがって、（たとえば、１５ｍｓを上回る）対応する持続時間しきい値を上回る上記の任意の検出された持続時間値は、Ｗｉ−Ｆｉ以外の対応するＲＡＴの動作に関連してチャネル予約メッセージ４０２が送信されていることを示すと理解され得る。
【００５６】
[0085]別の例として、ＰＨＹヘッダにおけるスクランブラシード（a scrambler seed）の特定の値が識別子として使用され得る。たとえば、Ｗｉ−Ｆｉ  ＰＬＣＰヘッダのサービスフィールドは、識別子としての働きをするために代わりに再利用され得る、受信機においてデスクランブラの初期状態を設定するために使用されることが当初意図されていたスクランブラ初期化ビットを含む。別の例として、ＰＨＹヘッダにおけるユーザ識別子の特定の値が識別子として使用され得る。たとえば、パケットがＳＴＡと対象とするかどうかのインジケーションをＳＴＡに提供することが当初意図されていた、（ＶＨＴ−ＳＩＧ−Ａ領域におけるＶＨＴパケットのために定義された）Ｗｉ−Ｆｉ  ＰＬＣＰヘッダの部分的関連付け識別子（ＰＡＩＤ）フィールドが、少なくとも、そのようなヘッダを理解することが可能な競合ＲＡＴデバイスのために、識別子としての働きをするために代わりに再利用され得る。
【００５７】
[0086]いくつかの設計では、チャネル予約メッセージ４０２は、確認応答を呼び出さない一方向通信（たとえば、ＣＴＳ２Ｓ）として送られ得る。他の設計では、チャネル予約メッセージ４０２は、各受信エンティティによって確認応答される双方向ハンドシェイク通信(たとえば、ＣＴＳ／ＲＴＳ)として送られ得る。さらに、チャネル予約メッセージ４０２は、１次ＲＡＴ通信によって影響され得るが、より短い範囲のチャネル予約メッセージを受信することができない、追加の本来隠れているノード（additional, otherwise hidden nodes）に到達するために、より大きいカバレージエリアを有するディープハンドシェイク信号(たとえば、ｅＣＴＳ／ｅＲＴＳ)として送られ得る。
【００５８】
[0087]図４に戻ると、アクセスポイント１１０が通信媒体１４０を捕らえた後、アクセスポイント４１０も後に、それ自体のために通信媒体１４０を捕らえることが可能である。それは、たとえば、競合ＲＡＴシステム１５０からのシグナリングがアクセスポイント１１０においてよりも高いシグナリングエネルギーでアクセスポイント４１０において受信されたことであり得、それは、アクセスポイント４１０が以前に通信媒体１４０にアクセスすることを妨げた。通信媒体１４０が（当初のチャネル予約メッセージ４０２を、１次ＲＡＴ動作に対応するものであり、追加の１次ＲＡＴ動作を妨げることは意図されていないものとして認識し得る）アクセスポイント４１０にとってクリア（ＣＣＡクリア）になった時点に、アクセスポイント１１０の当初のＴＸＯＰ持続時間のある割合のみ（たとえば、図示の例では７個のサブフレーム）が残っている。その場合、アクセスポイント４１０は、それ自体のチャネル予約メッセージ４０２を送信する。
【００５９】
[0088]いくつかの事例では、アクセスポイント４１０は、このチャネル予約メッセージ４０２の持続時間を、アクセスポイント４１０が通信媒体１４０へのアクセスを求めて競合したターゲットＴＸＯＰ（たとえば、１無線フレーム）に設定し得る。一方、図示の例を含む他の事例では、アクセスポイント４１０は代わりに、このチャネル予約メッセージ４０２の持続時間を、アクセスポイント１１０に与えられたターゲットＴＸＯＰの残り（たとえば、図示の例では７個のサブフレーム）を表すターゲットＴＸＯＰの部分値（a partial value）に設定し得る。アクセスポイント４１０によって求められるターゲットＴＸＯＰの残り（たとえば、無線フレームを完了させるために図示の例では３個のサブフレーム）を予約するために、アクセスポイント４１０は、次の特殊サブフレームにおいて（たとえば、アクセスポイント１１０に関連するダウンリンクトラフィックおよびアップリンクトラフィックのないガード期間（a guard period free from downlink and uplink traffic）の間に）追加の「拡張」チャネル予約メッセージ４０２を送り得る。この２メッセージ手法は、アクセスポイント１１０とアクセスポイント４１０との間のノードが、いくつかのサブフレーム（たとえば、ダウンリンクサブフレームまたはアップリンクサブフレーム）の間に追加のチャネル予約メッセージ４０２を正しく受信することを（たとえば、アクセスポイント１１０の予約済みＴＸＯＰの間にアクセスポイント１１０に関連する干渉を介して）妨げられ得る、いわゆる誘発ブラインド端末（induced-blind-terminal）問題に対処するのを助けることができる。
【００６０】
[0089]図５を参照しながら上記で説明されたタイプのＲＡＴ識別子フィールド５０２を含むチャネル予約メッセージを使用する利点のうちの１つは、アクセスポイント１１０およびアクセスポイント４１０（またはより一般的には、同じ事業者に関連する任意のアクセスポイント）が、リソースをより効率的に共有し得ること（いわゆるリソース「再使用」）である。アクセスポイント１１０は、チャネル予約メッセージ４０２を介した競合ＲＡＴシステム１５０に対するリソースの時分割を利用し得る一方、アクセスポイント１１０およびアクセスポイント４１０は、図４に示されるように予約済みＴＸＯＰを共有し得る。一方、アクセスポイント１１０およびアクセスポイント４１０が互いに十分に近くにあって、それらのシグナリングが強く干渉し得るときなど、いくつかのシナリオでは、アクセスポイント１１０およびアクセスポイント４１０にとって、リソースの時分割を同様に利用することが有利であり得る。
【００６１】
[0090]図６は、図２の仮想ＴＤＤフレーム構造によるダウンリンク媒体アクセスの別の例を示す。例示の目的で、アクセスポイント１１０は、ここでも、同じフレーム構造に従って動作するアクセスポイント４１０を含む協調システムの一部として示されている。
【００６２】
[0091]図示のように、この例では、ダウンリンク媒体アクセスは、アクセスポイント１１０とアクセスポイント４１０との間で時分割方法で共有される。競合プロセスの間のある時点に、通信媒体１４０はクリア（ＣＣＡクリア）になり、アクセスポイント１１０は、チャネル予約メッセージ４０２を送ることによって、それを捕らえる。チャネル予約メッセージ４０２は、この事例では、アクセスポイント４１０に、要求されたＴＸＯＰのために媒体をアクセスポイント１１０に譲らせるような方法で、さらに構成され得る。
【００６３】
[0092]図７は、さらなるＲＡＴ間協調のための例示的なチャネル予約メッセージを示す。図５の例の場合のように、チャネル予約メッセージ４０２は、ＲＡＴ識別子フィールド５０２と、持続時間フィールド５０４と、随意に、所与の実装形態に必要とされる他のパラメータ５０６とを含む。
【００６４】
[0093]図示のように、この例では、ＲＡＴ識別子フィールド５０２は、再使用情報を伝達するためのいくつかのサブフィールドを含む。一例として、ＲＡＴ識別子フィールド５０２は、要求されたＴＸＯＰのために事業者内再使用が受け入れられるかどうかを示すハード再使用識別子サブフィールド７０２を含み得る。別の例として、ＲＡＴ識別子フィールド５０２は、要求されたＴＸＯＰのために事業者内再使用が受け入れられる条件（たとえば、シグナリングエネルギーしきい値）を識別するソフト再使用識別子サブフィールド８０５を含み得る。
【００６５】
[0094]上記でより詳細に説明されたように、ＲＡＴ識別子フィールド５０２、ひいてはサブフィールド７０２および７０４は、様々な方法で、ヘッダ部分（たとえば、ＭＡＣヘッダもしくはＰＨＹヘッダ）として、またはヘッダ部分の一部、スタンドアロン情報要素（ＩＥ）として、またはＩＥの一部などを含む、チャネル予約メッセージ４０２の様々な部分に実装され得る。
【００６６】
[0095]いくつかの展開では、アクセスポイント１１０による所与のＴＸＯＰの予約は、アクセスポイント１１０自体からのダウンリンク送信のためだけではなく、ＴＸＯＰの間に（たとえば、アップリンクサブフレーム無線フレームの間に）スケジュールされるアクセス端末１２０からのアップリンク送信のためにも、競合要件を満たすのに十分であり得る。一方、他の展開では、アクセス端末１２０は、任意の指定されたアップリンクサブフレームの間に送信するために、通信媒体１４０へのアクセスを求めて別個に競合する必要があり得る。
【００６７】
[0096]図８は、図２の仮想ＴＤＤフレーム構造によるアップリンク媒体アクセスの一例を示す。例示の目的で、アクセスポイント１１０は、アクセス端末１２０（ＡＴ−１）と、他の点では同様のアクセス端末８２０（ＡＴ−２）とを含む２つの関連アクセス端末を有するものとして示されている。
【００６８】
[0097]図示のように、この例では、アクセス端末１２０およびアクセス端末８２０は、通信媒体１４０がクリア（ＣＣＡクリア）になったときに、それぞれのチャネル予約メッセージ４０２を送信することによって、通信媒体１４０へのアクセスを求めて別個に競合する。これらのチャネル予約メッセージ４０２は、アクセスポイント１１０によって確保された当初のＴＸＯＰの残存割合に対応する持続時間を指定し得る。さらに、説明されたｅＤＲＳシグナリングのための競合と同様に、アクセス端末１２０およびアクセス端末８２０は、比較的積極的な競合パラメータ（たとえば、シングルショットＣＣＡ、比較的低いバックオフしきい値、比較的小さい競合ウィンドウなど）を使用して、通信媒体１４０へのアクセスを求めて競合し得る。
【００６９】
[0098]狭帯域確認応答チャネル（たとえば、ＰＵＣＣＨ）など、いくつかのチャネルのためのシグナリングは、規則に従って他のシグナリングのために競合が必要とされ得る場合でも、競合なしで送信され得る。
【００７０】
[0099]別個の競合が必要とされるかどうかにかかわらず、アクセス端末１２０または任意の他の関連アクセス端末は、１つまたは複数の特殊サブフレームの間に（たとえば、アクセスポイント１１０に関連するダウンリンクトラフィックおよびアップリンクトラフィックのないガード期間の間に）チャネル予約メッセージ４０２をさらなる保護として送り得る。
【００７１】
[00100]図９は、図２の仮想ＴＤＤフレーム構造とともに使用され得るアップリンク波形の一例を示す。いくつかの展開では、アップリンク送信は、効率的で公平なリソース割振りを促進するために予約済み帯域幅の最小割合にわたる（span）必要があり得る。図示の例では、最小割合は、帯域幅の８０％（たとえば、２０ＭＨｚのチャネル全体で１６ＭＨｚ）であるが、これは例示のためにすぎないことが諒解されよう。
【００７２】
[00101]図示のように、そのような広帯域配分に適応するために、アップリンクリソースがアクセス端末にわたってインターリーブされ得る。図示の例では、第１のアクセス端末（たとえば、ＡＴ−１として示されるアクセス端末１２０）が、少なくとも最小割合（この例では８０％）を占有する帯域幅の第１の部分９０２においてスケジュールされ得る。第２のアクセス端末（たとえば、ＡＴ−２として示されるアクセス端末８２０）が、第１の部分９０２の両側にある、リソースのより小さい割合（この例では５％）を占有する帯域幅の第２の部分９０４においてスケジュールされ得る。第２の部分９０４は、最小割合を占有しないことがあるが、それでも、それのスケジュールされたリソースの拡散の点で最小割合にわたることがある。残りのエッジ部分９０６は、同様に最小割合にわたる狭帯域確認応答チャネル（たとえば、ＰＵＣＣＨ）などの制御シグナリングのために使用され得る。
【００７３】
[00102]２つのアクセス端末ＡＴ−１およびＡＴ−２は例示のためのみ示されていること、ならびに帯域幅制約に従って必要に応じて追加のアクセス端末がスケジュールされ、インターリーブされ得ることが諒解されよう。さらに、第１のアクセス端末ＡＴ−１は第２のアクセス端末ＡＴ−２よりも多くのリソースを割り振られているものとして示されているが、それぞれの割振りは、比例公平性（proportional fairness）のためにサブフレームにわたって回転され得る。
【００７４】
[00103]いくつかの事例では、アップリンクスケジューリングは、複数の不連続ＴＸＯＰにわたり得る。たとえば、送信は、通信媒体１４０が競合ＲＡＴシステム１５０によって占有される介在期間によって中断され（be interrupted）得る。再スケジューリングとスケジューリング許可の再送信とを回避するために、スケジューリング許可は、あるＴＸＯＰから次のＴＸＯＰに持ち越す（carry over）ように構成され得る。このようにして、不連続ＴＸＯＰは、アクセス不可能な任意の介在期間を越えて効果的にまとめられ得る。
【００７５】
[00104]図１０は、図２の仮想ＴＤＤフレーム構造とともに使用され得るＴＸＯＰにわたる例示的な持越しアップリンク許可方式を示す。この例では、アクセスポイント１１０は、第１の持続時間にわたる第１のＴＸＯＰおよび第２の持続時間にわたる第２のＴＸＯＰのために通信媒体１４０へのアクセスを求めて競合し（およびアクセスを予約し）、通信媒体１４０が占有されている介在期間の間に通信媒体１４０を競合ＲＡＴシステム１５０に譲る。
【００７６】
[00105]図示のように、第１のＴＸＯＰの１つまたは複数のダウンリンクサブフレームの間に、アクセスポイント１１０は、アクセス端末１２０にスケジューリング許可を送信する（たとえば、ＰＤＣＣＨなどの共通制御チャネルを介してブロードキャストする）ことができる。各スケジューリング許可は、次の（upcoming）アップリンクサブフレーム上でのリソースへのアクセスを伝達する。ロバストネスのために、２つ以上のそのようなスケジューリング許可が、アップリンクサブフレームごとに送られる（たとえば、いくつかの場合にはＴＸＯＰにわたる、連続するダウンリンクサブフレームにおいて再発信（reissued）／再送信される）ことがある。
【００７７】
[00106]絶対的な意味での対応するアップリンクサブフレーム（たとえば、次のスケジュールされたアップリンクサブフレーム）を識別するのではなく、相対的な意味での対応するアップリンクサブフレーム（たとえば、有効なＴＸＯＰの間の次のアップリンクサブフレーム）を、スケジューリング許可は伝達するように構成され得、および／またはアクセス端末１２０は理解するように構成され得る。たとえば、スケジューリング許可は、介在時間期間のためにスケジュールされた任意のアップリンクサブフレームを無視し、許可されたアップリンクリソースを第２のＴＸＯＰの間のアップリンクサブフレームに持ち越すように、アクセス端末１２０を構成し（configure）得る。したがって、通信媒体１４０が占有されている介在期間においてアップリンクサブフレームの間に送信を試みる代わりに、アクセス端末１２０は、再スケジューリングせずに、通信媒体１４０が再びアクセス可能になる後の時間に送信を試み得る。
【００７８】
[00107]いくつかの展開では、ＡＣＫ／ＮＡＣＫメッセージなどの確認応答メッセージは、独立した（independent）競合要件を免除され得る。これは、所与のＴＸＯＰの予約がダウンリンク送信とアップリンク送信の両方に関して競合要件を満たすのに十分であること、または確認応答メッセージ自体に対する特別免除のいずれかに起因し得る。そのようなシナリオでは、確認応答メッセージは、必要に応じて交換され得る。一方、他の展開では、確認応答メッセージは、独立した競合要件を免除されるためにいくつかの条件を満たすことが必要とされ得る。たとえば、上記で説明されたように、欧州におけるＥＴＳＩ競合規定は、競合が本来であれば一般に必要とされていても、競合の必要なしに送信の一定割合（たとえば、５％）が進むことを許容している。このシナリオでは、確認応答シグナリングは、競合なしの送信の許容割合とアラインするように構成され得る。さらに他の展開では、確認応答メッセージには、とにかく独立した競合要件が適用され得る。
【００７９】
[00108]図１１は、図２の仮想ＴＤＤフレーム構造とともに使用され得る確認応答チャネルフォーマットを示すリソースマップである。この例では、確認応答シグナリングは、競合なしの送信の許容割合とアラインするように構成されるが、確認応答チャネルの持続時間の同じまたは同様の縮小が、競合ＲＡＴシステム１５０からの通信媒体１４０に対する干渉の影響を回避および／または軽減するために、より一般的には有用であり得ることが諒解されよう。
【００８０】
[00109]図示のように、確認応答チャネルのためのサブフレームリソースは、所与のサブフレームのしきい値割合以下を占有するために、（たとえば、ＯＦＤＭシンボルの数の点で）時間的に凝縮され、（たとえば、ＯＦＤＭトーンの数の点で）周波数において拡散され得る。たとえば、サブフレームのしきい値割合は、２つ以下のＯＦＤＭシンボル期間を備え得る一方、ＯＦＤＭトーンの１つまたは複数のインターリーブされたブロックで周波数において拡散され得る。別の例として、サブフレームのしきい値割合は、ＴＤＤフレーム構造によって定義されたフレームの持続時間の５％以下など、競合なしの時間期間に対応し得る。図１１に示される例では、確認応答チャネルは、所与の展開によって与えられた競合なしの送信の許容割合（たとえば、上記のＥＴＳＩの例では５％）に関連するしきい値送信持続時間を満たすために、または他の理由で、２つのＯＦＤＭ信号に凝縮され、いくつかのＯＦＤＭトーンにわたって（たとえば、１２個のＯＦＤＭトーンのインターリーブされたブロックにおいて）拡散されている。
【００８１】
[00110]図１２は、図２の仮想ＴＤＤフレーム構造とともに使用され得るダウンリンクトラフィックに確認応答するための漸進的アップリンク確認応答方式を示す。この例では、確認応答シグナリングは別個に競合する。
【００８２】
[00111]図示のように、漸進的確認応答方式では、連続するアップリンクサブフレームは、それら自体の指定された確認応答だけではなく、以前のアップリンクサブフレームからの確認応答も含む。このようにして、確認応答は、通信媒体１４０に対する競合に勝つことができないことと、競合ＲＡＴシステム１５０から通信媒体１４０で受ける干渉の両方に対して、よりロバストなものにされ得る。
【００８３】
[00112]図示の例では、第１のアップリンクサブフレームが、ダウンリンクサブフレームの第１のグループ１２０２に関するＡＣＫ／ＮＡＣＫを搬送するために指定され、第２のアップリンクサブフレームが、ダウンリンクサブフレームの第２のグループ１２０４に関するＡＣＫ／ＮＡＣＫを搬送するために指定され、第３のアップリンクサブフレームが、ダウンリンクサブフレームの第３のグループ１２０６に関するＡＣＫ／ＮＡＣＫを搬送するために指定される。グループごとのダウンリンクサブフレームの数およびダウンリンクサブフレームグループとアップリンクサブフレーム確認応答ロケーションとの間の特定のマッピングが、たとえば、単に例示のために示されており、適用例により異なり得ることが諒解されよう。
【００８４】
[00113]漸進的確認応答方式では、第１のアップリンクサブフレームは、ダウンリンクサブフレームの第１のグループ１２０２に対応するＡＣＫ／ＮＡＣＫを搬送し、第２のアップリンクサブフレームは、ダウンリンクサブフレームの第２のグループ１２０４に対応するＡＣＫ／ＮＡＣＫならびにダウンリンクサブフレームの第１のグループ１２０２に対応するＡＣＫ／ＮＡＣＫを搬送し、第３のアップリンクサブフレームは、ダウンリンクサブフレームの第３のグループ１２０６に対応するＡＣＫ／ＮＡＣＫならびにダウンリンクサブフレームの第１のグループ１２０２に対応するＡＣＫ／ＮＡＣＫおよびダウンリンクサブフレームの第２のグループ１２０４に対応するＡＣＫ／ＮＡＣＫを搬送する。
【００８５】
[00114]図１２にさらに示されているように、漸進的確認応答方式はまた、複数のＴＸＯＰにわたり得る。図示の例では、第１のアップリンクサブフレームは、ダウンリンクサブフレームの第４のグループ１２１２に対応するＡＣＫ／ＮＡＣＫを搬送し、第２のアップリンクサブフレームは、ダウンリンクサブフレームの第５の第２のグループ１２１４に対応するＡＣＫ／ＮＡＣＫならびにダウンリンクサブフレームの第４のグループ１２１２に対応するＡＣＫ／ＮＡＣＫを搬送し、第３のアップリンクサブフレームは、ダウンリンクサブフレームの第６のグループ１２１６に対応するＡＣＫ／ＮＡＣＫならびにダウンリンクサブフレームの第４のグループ１２１２に対応するＡＣＫ／ＮＡＣＫおよびダウンリンクサブフレームの第５のグループ１２１４に対応するＡＣＫ／ＮＡＣＫを搬送する。より合理化された代替として、第３のアップリンクサブフレームのみが、グループ確認応答として働くことができ、第１および第２のサブフレームが、ダウンリンクサブフレームの第４のグループ１２１２またはダウンリンクサブフレームの第５のグループ１２１４についての任意の情報を省略する。
【００８６】
[00115]いくつかの設計では、ＴＸＯＰ内確認応答メッセージ（たとえば、ダウンリンクサブフレームの第１のグループ１２０２、ダウンリンクサブフレームの第２のグループ１２０４、およびダウンリンクサブフレームの第３のグループ１２０６に対応するＡＣＫ／ＮＡＣＫ）とＴＸＯＰ間確認応答メッセージ（たとえば、ダウンリンクサブフレームの第４のグループ１２１２、ダウンリンクサブフレームの第５のグループ１２１４、およびダウンリンクサブフレームの第６のグループ１２１６に対応するＡＣＫ／ＮＡＣＫ）とが組み合わせられ、同じチャネル（たとえば、ＰＵＣＣＨ）によって搬送され得る。一方、他の設計では、ＴＸＯＰ内確認応答メッセージとＴＸＯＰ間確認応答メッセージとは、異なるチャネルによって搬送され得る。たとえば、ＴＸＯＰ内確認応答メッセージは、制御チャネル（たとえば、ＰＵＣＣＨ）によって搬送され得るのに対し、ＴＸＯＰ間確認応答メッセージは、追加の能力および／またはダイバーシティのためにデータチャネル（たとえば、ＰＵＳＣＨ）によって搬送され得る。
【００８７】
[00116]上記で説明されたタイプの漸進的アップリンク確認応答方式を実装するために、既存の展開に対する様々な修正が行われ得る。たとえば、（たとえば、キャリアアグリゲーション（ＣＡ）方式において）コンポーネントキャリアにわたって漸進的確認応答を容易にするために、単一サービングセル要件に対する変更が行われ得る。別の例として、たとえば、複数のダウンリンクサブフレームにわたる確認応答により適していることがある、多重化方式において漸進的確認応答を容易にするために、ＡＣＫバンドリング要件に対する変更が行われ得る。
【００８８】
[00117]図１３は、図１２の漸進的アップリンク確認応答方式とともに使用され得る再送信手順を示すフローチャートである。例示的な再送信手順は、ハイブリッド自動再送要求（ＨＡＲＱ）手順などを含む。手順１３００は、確認応答が要求されるか、または必要とされるダウンリンク送信をアクセスポイント１１０が（たとえば、図１２におけるダウンリンクサブフレームの第１のグループ１２０２のうちの１つなどのダウンリンクサブフレーム上で）アクセス端末１２０に送った後に始まる。
【００８９】
[00118]図示のように、送信に確認応答するために指定されたアップリンクサブフレーム（たとえば、ダウンリンクサブフレームの第１のグループ１２０２のうちの１つに対する、図１２を参照しながら上記で説明された第１のアップリンクサブフレーム）において、アクセスポイント１１０は、ＡＣＫが受信されたかどうか、またはアクセス端末１２０が通信媒体１４０へのアクセスを獲得することができなかったかどうかを決定する（決定１３０２）。通信媒体１４０へのアクセスを獲得することができなかったことは、たとえば、不連続送信検出手順などを使用することによって決定され得る。アクセス端末１２０が正常に通信媒体１４０へのアクセスを獲得した場合（決定１３０２における「ｙｅｓ」）、アクセスポイント１１０は、ＡＣＫが正常に受信されているかどうかを決定する（決定１３０４）。たとえば、アクセスポイント１１０は、ＡＣＫを適切に復号することが可能であることを確実にするために、巡回冗長検査（ＣＲＣ）を実行し得る。そのような決定のロバストネスを高めるために、新しいアップリンク物理チャネルが追加の完全性検査とともに実装され得る。ＡＣＫが正常に受信された場合（決定１３０４における「ｙｅｓ」）、確認応答手順は完了する（ブロック１３０６）。
【００９０】
[00119]アクセス端末１２０が、送信に確認応答するために指定されたアップリンクサブフレームにおいて通信媒体１４０へのアクセスを獲得することができなかった場合（決定１３０２における「ｎｏ」）、またはＡＣＫが正常に受信されなかった場合（決定１３０４における「ｎｏ」）、アクセスポイント１１０は、ＡＣＫが漸進的確認応答を介して再び提供されるべき後の時間にアクセス端末１２０が通信媒体１４０へのアクセスを獲得することが可能であるかどうかを確かめるために、次の１つまたは複数のアップリンクサブフレームを、迫っている（forthcoming）場合に、待つことができる（ブロック１３０８）。たとえば、アクセス端末１２０がダウンリンクサブフレームの第１のグループ１２０２のうちの１つに確認応答するために、図１２を参照しながら上記で説明された第１のアップリンクサブフレームのために通信媒体１４２へのアクセスを獲得することができなかった場合、またはメッセージが受信されたが誤って受信された場合、アクセスポイント１１０は、漸進的確認応答ＡＣＫのために第２のアップリンクサブフレームまたは第３のアップリンクサブフレームを待ち得る。
【００９１】
[00120]アクセスポイント１１０は、ＡＣＫの正常な受信（決定１３１０）のために次のダウンリンクサブフレームまで待ち得る。次のダウンリンクサブフレームの前にＡＣＫが正常に受信されたとき、確認応答手順は完了する（ブロック１３０６）。一方、次のダウンリンクサブフレームの前にＡＣＫが正常に受信されなかったとき、アクセスポイント１１０は、確認応答を欠くいずれのパケットも再送信し得る（ブロック１３１２）。
【００９２】
[00121]図１４は、図２の仮想ＴＤＤフレーム構造とともに使用され得るアップリンクトラフィックに確認応答するための例示的なダウンリンク確認応答方式を示すフロー図である。
【００９３】
[00122]手順１４００は、確認応答が要求されるか、または必要とされるアップリンク送信１４０２をアクセス端末１２０がアクセスポイント１１０に送ることにより始まる。この例では、アクセス端末１２０は、下の表１に従って再送信のために構成され、ここでは、再送信行動を指示するために共通制御チャネル（たとえば、ＰＤＣＣＨ）とともに確認応答チャネル（たとえば、物理ハイブリッドＡＲＱインジケータチャネル（ＰＨＩＣＨ））を利用する。
【表１】
0006805236.tif 000002
【００９４】
[00123]図示のように、共通制御チャネルは、新しい送信のためのスケジューリング許可または再送信のためのスケジューリング許可を提供し得る。いずれの場合も、アクセス端末１２０は、確認応答チャネル上でのＡＣＫ／ＮＡＣＫインジケーションにかかわらずスケジューリング許可に従うように構成される。ただし、共通制御チャネル情報がない場合、アクセス端末１２０は、（ＡＣＫに応答して）再送信するのを控えること、または（ＮＡＣＫに応答して）再送信することによって、確認応答チャネルのＡＣＫ／ＮＡＣＫインジケーションに従う。それでも、確認応答チャネルでＡＣＫが受信されたときでも、アクセス端末１２０は、確認応答されたパケットを、さらなる命令を待ちながら（pending）それの再送信バッファにおいて保持するように構成され得る。
【００９５】
[00124]したがって、再び図１４を参照すると、アップリンク送信１４０２が正常に受信されず、対応するＴＸＯＰ予約が、（図示のように）再送信が完了し得る前に終了するように設定されている場合、アクセスポイントはアクセス端末１２０に確認応答チャネル上で肯定応答（ＡＣＫ）を送り、共通制御チャネル上でスケジューリング許可を送らないことがある（シグナリング１４０４）。確認応答チャネルおよび共通制御チャネルのインジケータの他の組合せは、パケットを再送信することなく処分する（discard）こと、または１次ＲＡＴ送信のために予約されていないアップリンクサブフレームにおいて再送信することのいずれかをアクセス端末に行わせるのに対し、確認応答チャネル上でＡＣＫを送り、共通制御チャネル上でスケジューリング許可を送らないことは、アクセス端末１２０に、パケットを保持し、さらなる命令を待つようにさせる。通信媒体１４０が取り戻され（recaptured）、新しいＴＸＯＰ予約が有効となる後の時点で、アクセスポイント１１０は、パケットを再送信するための適切なスケジューリング許可をアクセス端末１２０に送り得（シグナリング１４０６）、アクセス端末１２０は、しかるべくパケットを再送信し得る（シグナリング１４０８）。
【００９６】
[00125]図１５は、通信媒体１４０上で実装され得る例示的な不連続送信（ＤＴＸ）通信方式のいくつかの態様を示す。ＤＴＸ通信方式は、（ｉ）アクセスポイント１１０とアクセス端末１２０との間の１次ＲＡＴ通信と（ｉｉ）競合ＲＡＴシステム１５０に関連する他の競合ＲＡＴ通信との間の共存の公平性を促進するために使用され得る。アクセスポイント１１０は、たとえば、上記で説明されたように比較的積極的な競合パラメータと他の技法とを使用して１次ＲＡＴ通信のために通信媒体１４０を捕らえ得る一方、それは、通信媒体１４０でのそれの１次ＲＡＴ通信を、一連のアクティブ期間１５０４に制限し、通信の他の非アクティブ期間１５０６の間は通信媒体１４０を競合ＲＡＴシステム１５０に譲り得る。アクティブ期間１５０４と非アクティブ期間１５０６との間の関係は、公平性を保証するのを助けるように様々な方法で適応され得る。
【００９７】
[00126]一般に、アクティブ期間１５０４と非アクティブ期間１５０６との間の切替えは、上記でより詳細に説明された競合手順に基づいて条件付き（conditional）であり得る。図示の例では、通信媒体１４０は、それぞれのアクティブ期間１５０４に対応する、第１のＴＸＯＰ（ＴＸＯＰ1）（たとえば、１無線フレーム）の間および再び後に第２のＴＸＯＰ（ＴＸＯＰ2）の間における１次ＲＡＴ動作のために捕らえられ、アクセスなしの散在する期間は、それぞれの非アクティブ期間１５０６に対応する。長さＴDTXを有し、アクティブ期間１５０４のうちの１つまたは複数と非アクティブ期間１５０６のうちの１つまたは複数とを包含するＤＴＸサイクル１５０８として、所与の時間期間が指定され得る。１つまたは複数のＤＴＸサイクル１５０８のセットが、集合的にＤＴＸ通信パターン１５００を形成し得る。
【００９８】
[00127]各アクティブ期間１５０４に関連する時間期間ＴONの間には、通信媒体１４０上での１次ＲＡＴ送信は、通常の比較的高い送信電力（ＴＸHIGH）で進み得る。一方、各非アクティブ期間１５０６に関連する時間期間ＴOFFの間には、通信媒体１４０上での１次ＲＡＴ送信は、通信媒体１４０を競合ＲＡＴシステム１５０に譲るために、無効化されるか、または少なくとも十分に、比較的低い送信電力（ＴＸLOW）に低減される。しかしながら、この時間の間に、媒体利用測定、媒体利用感知など、様々なネットワークリスニング機能および関連する測定が実行され得る。
【００９９】
[00128]ＤＴＸ通信方式は、１つまたは複数のＤＴＸパラメータのセットによって特徴付けられ得る。たとえば、期間（すなわち、ＴCYCLEの長さ）、デューティサイクル（すなわち、Σ  ＴON／ＴDTX）、ならびにアクティブ期間１５０４および非アクティブ期間１５０６の間のそれぞれの送信電力（それぞれＴＸHIGHおよびＴＸLOW）を含む、関連するＤＴＸパラメータの各々は、ＤＴＸ通信方式を動的に最適化するように通信媒体１４０上の現在のシグナリング状況に基づいて適応され得る。たとえば、競合ＲＡＴシステム１５０のＲＡＴに従って動作するように構成されたアクセスポイント１１０の２次ＲＡＴトランシーバは、通信媒体１４０へのアクセスを求めて１次ＲＡＴ通信と競合し得る競合ＲＡＴシグナリングのために、時間期間ＴOFFの間に通信媒体１４０を監視するようにさらに構成され得る。アクセスポイント１１０は、競合ＲＡＴシステム１５０による通信媒体１４０の利用に関連する利用メトリックを決定し得る。利用メトリックに基づいて、それに基づいて通信媒体１４０へのアクセスを求めるそれの競合を制限する（たとえば、デューティサイクル割振りが使い尽くされると、所与のＤＴＸサイクル１５０８において通信媒体１４０へのアクセスを求めて競合するのを中止する）ように、関連するパラメータは設定され得、アクセスポイント１１０の１次ＲＡＴトランシーバは構成され得る。
【０１００】
[00129]一例として、利用メトリックが高い（たとえば、しきい値を上回る）場合、パラメータのうちの１つまたは複数は、（たとえば、デューティサイクルまたは送信電力の減少を介して）１次ＲＡＴによる通信媒体１４０の使用が減らされるように調整され得る。逆に、利用メトリックが低い（たとえば、しきい値を下回る）場合、パラメータのうちの１つまたは複数は、（たとえば、デューティサイクルまたは送信電力の増大を介して）１次ＲＡＴによる通信媒体１４０の使用が増やされるように調整され得る。
【０１０１】
[00130]図２に戻ると、システム収集が適時に効率な方法で達成されることを確実にするのを助けるために、通信媒体１４０でのある種の同期シグナリング（synchronization signaling）のロバストネスを高めることは有利であり得る。たとえば、ＰＳＳ／ＳＳＳなどの同期シグナリングは、シングルショット検出を容易にするために、周波数および／または時間で、より高い密度で繰り返され得る（たとえば、２０ｍｓのウィンドウで２〜４回発生）。より広がった同期シグナリング方式は、より良好なレイテンシパフォーマンスを提供し得るが、干渉に起因する消去に直面し得る通信媒体１４０などの競合ベースの環境ではロバストネスを優先することが望まれ得る。図３は、ＰＳＳ／ＳＳＳが４回繰り返される例示的なｅＤＲＳ構成を示す。別の例として、ＰＳＳ／ＳＳＳなどの同期シグナリングは、検出可能性を改善するために電力を引き上げられ得る。別の例として、ＰＳＳ／ＳＳＳなどの同期シグナリングは、チャネル予約メッセージング（たとえば、アクセスポイント１１０および／またはアクセス端末１２０によるＣＴＳ２Ｓ）によって保護され得る。
【０１０２】
[00131]図１６は、図２の仮想ＴＤＤフレーム構造とともに使用され得るシステム収集手順を示すシグナリングフロー図である。この例では、アクセスポイント１１０は、図２の仮想ＴＤＤフレーム構造に従って通信媒体１４０でサービスを提供しており、アクセス端末１２０は、システム収集を実行している。
【０１０３】
[00132]図示のように、アクセス端末１２０は最初に、システム同期情報（たとえば、ＰＳＳ／ＳＳＳシグナリング）を受信する（シグナル１６１２）。図３および図４を参照すると、ＰＳＳ／ＳＳＳなどの同期シグナリングは繰り返し受信され、必要に応じてＰＳＳ／ＳＳＳシグナリングを再構成するために周波数および／または時間で組み合わせられ得る（ブロック１６１４）。これから、アクセス端末１２０は、アクセスポイント１１０の物理セル識別子（ＰＣＩ）と、タイムスロットと、フレーム同期とを収集し、これらは、アクセス端末１２０が他の情報を突き止め（locate）、復号することを可能にする。
【０１０４】
[00133]特に、アクセス端末１２０は、アクセスポイント１１０によってブロードキャストされたＭＩＢ（シグナル１６１６）を復号することが可能である。上記で説明されたように、ＭＩＢは、通信媒体１４０などの共有動作環境において異なり得る、アクセスポイント１１０に関連する事業者識別情報（たとえば、ＰＬＭＮ  ＩＤ）を区別するために使用され得る。別の例として、事業者識別情報は、ＣＲＳ／ＣＳＩ−ＲＳとともにスクランブルされ得る。復号された情報に基づいて、アクセス端末１２０は、ＳＩＢ−１、ＳＩＢ−２などの他のシステム情報ブロック（シグナル１６１８）を復号し得る。ＳＩＢ−１およびＳＩＢ−２の復号は、アクセス端末１２０が（たとえば、ランダムアクセスチャネル（ＲＡＣＨ）を介して）システムにアクセスし始めることを可能にする（シグナル１６２０）。図３に関して上記でｅＳＩＢとして言及された、新しい凝縮された（condensed）ＳＩＢフォーマットが使用されてもよい。
【０１０５】
[00134]図１７は、図２の仮想ＴＤＤフレーム構造とともに使用するように適応され得る例示的なランダムアクセス手順を示すシグナリングフロー図である。この例では、アクセスポイント１１０は、図２の仮想ＴＤＤフレーム構造に従って通信媒体１４０でサービスを提供しており、アクセス端末１２０は、アップリンクリソースへのアクセスを獲得するために物理ランダムアクセスチャネル（ＰＲＡＣＨ）で競合ベースのランダムアクセス手順を実行している。
【０１０６】
[00135]競合ベースのランダムアクセスは、一般に４つの部分の手順として実行され得る。最初に、アクセス端末１２０は、ランダムアクセスプリアンブル（Ｍｓｇ１  １７１２）を送信し、そのフォーマットおよびＰＲＡＣＨ時間領域リソース割振りは、ＰＲＡＣＨ−ＣｏｎｆｉｇｕｒａｔｉｏｎＩｎｄｅｘパラメータによって示され得る。Ｍｓｇ１を送信するとともに、アクセス端末１２０は、（たとえば、ｒａ−ＲｅｓｐｏｎｓｅＷｉｎｄｏｗＳｉｚｅパラメータに従って）ランダムアクセス応答（ＲＡＲ）タイマーを設定し（ブロック１７２２）、共通制御チャネル（たとえば、ＰＤＣＣＨ）上でＲＡＲメッセージ（Ｍｓｇ２  １７１４）を待つ。ＲＡＲタイマーが終了する前にＭｓｇ２を受信すると、アクセス端末１２０はＲＡＲタイマーをキャンセルする（ブロック１７２４）。それ以外は、アクセス端末１２０はＭｓｇ１  １７１２を再送信する。
【０１０７】
[00136]Ｍｓｇ２では、アクセス端末１２０は、ＲＲＣ要求（Ｍｓｇ３  １７１６）を送信する際に利用されるべきタイミングアラインメント値と、リソース（アップリンク許可）と、一時識別子（たとえば、セル無線ネットワーク一時識別子（Ｃ−ＲＮＴＩ））とを受信する。Ｍｓｇ３を送信するとともに、アクセス端末１２０は、（たとえば、ｍａｃ−ＣｏｎｔｅｎｔｉｏｎＲｅｓｏｌｕｔｉｏｎＴｉｍｅｒパラメータに従って）競合解決（ＣＲ）タイマーを設定する（ブロック１７２６）。
【０１０８】
[00137]Ｍｓｇ３の送信後、アクセス端末１２０は、ＣＲタイマーの終了まで、ＣＲメッセージの一時識別子を含むＣＲメッセージ（Ｍｓｇ４  １７１８）のために、共通制御チャネルを監視する。Ｍｓｇ４を正常に復号するとともに、アクセス端末１２０はＣＲタイマーをキャンセルする（ブロック１７２８）。
【０１０９】
[00138]ランダムアクセスが図２の仮想ＴＤＤフレーム構造と協調することを確実にするために、ランダムアクセスパラメータのうちの１つまたは複数は、積極的競合ｅＤＲＳに先行する無線フレームにのみ入るように、ＰＲＡＣＨ（時間）リソースとアクセスポイント応答とを制限するように特別に構成され得る。たとえば、アクセスポイントは、（たとえば、Ｔ０＝２（奇数のフレームのみ）とＴ１＝０（前半のフレームに位置する）とを満たすｐｒａｃｈ−ＣｏｎｆｉｇｕｒａｔｉｏｎＩｎｄｅｘを介して）奇数のフレームの前半にのみ入るようにＰＲＡＣＨリソースを構成すること、（たとえば、ｒａ−ＲｅｓｐｏｎｓｅＷｉｎｄｏｗＳｉｚｅを介して）通信媒体１４０へのアクセスがダウンリンクのためにそれの前に取得されなかった（not won）場合に、次のｅＤＲＳサブフレームをカバーするようにＲＡＲウィンドウを構成すること、（たとえば、ｍａｃ−ＣｏｎｔｅｎｔｉｏｎＲｅｓｏｌｕｔｉｏｎＴｉｍｅｒを介して）複数のｅＤＲＳサブフレームをカバーするように競合解決ウィンドウを構成すること、などができる。
【０１１０】
[00139]図１８は、図２の仮想ＴＤＤフレーム構造とともに動作するための図１７のランダムアクセス手順の例示的な適応を示すタイミング図である。この例では、積極的競合ｅＤＲＳ周期性は、ＴAC-eDRS＝２無線フレーム、（すなわち、奇数の無線フレームと、前半のフレームと、第２のアップリンクサブフレームとを指定する（０，２，０，１）構成に対応する）ｐｒａｃｈ−ＣｏｎｆｉｇｕｒａｔｉｏｎＩｎｄｅｘ＝１、ＲＡＲウィンドウパラメータｒａ−ＲｅｓｐｏｎｓｅＷｉｎｄｏｗＳｉｚｅ＝１０ｍｓ、およびＭｓｇ３競合ウィンドウパラメータｍａｃ−ＣｏｎｔｅｎｔｉｏｎＲｅｓｏｌｕｔｉｏｎＴｉｍｅｒ＝６４ｍｓに設定される。
【０１１１】
[00140]図示のように、図１８のタイミング図は、ＳＦＮN-1からＳＦＮN+2まで番号付けされた４つの無線フレームを含む、積極的競合ｅＤＲＳの２つのサイクルをカバーする。ＲＡＲ  Ｍｓｇ２がＳＦＮN（積極的競合ｅＤＲＳ無線フレーム）において配信されることを確実にするために、アクセス端末１２０はそれのプリアンブルＭｓｇ１を、先行するＳＦＮN-1において、ｐｒａｃｈ−ＣｏｎｆｉｇｕｒａｔｉｏｎＩｎｄｅｘによって指定されたアップリンクサブフレームの間に送る。ＲＡＲウィンドウパラメータｒａ−ＲｅｓｐｏｎｓｅＷｉｎｄｏｗＳｉｚｅが比較的長い値に設定されるので（１０ｍｓは説明のための例である）、ＳＦＮN（積極的競合ｅＤＲＳ無線フレーム）の第１のサブフレームにおいて配信されるＲＡＲ  Ｍｓｇ２は、ＲＡＲウィンドウ内にあることが保証される。
【０１１２】
[00141]図１７を参照しながら上記でより詳細に説明されたように、アップリンク許可を指定するＲＡＲ  Ｍｓｇ２を受信すると、アクセス端末１２０は、ＲＲＣ  Ｍｓｇ３を（たとえば、後にＳＦＮNにおいて）送り、それのＣＲタイマーを設定し得る。ＣＲタイマーパラメータｍａｃ−ＣｏｎｔｅｎｔｉｏｎＲｅｓｏｌｕｔｉｏｎＴｉｍｅｒが比較的長い値に設定されるので（６４ｍｓは説明のための例である）、アクセス端末１２０は、ＳＦＮN+1（競合ＲＡＴシステム１５０に競合で負け得る日和見的競合ｅＤＲＳ無線フレーム）よってもたらされる遅延に起因してＣＲタイマーが終了することなく、ＣＲ  Ｍｓｇ４を受信するためにＳＦＮN+2において別の積極的競合ｅＤＲＳ無線フレームを待ち得る。
【０１１３】
[00142]いくつかの設計では、様々なランダムアクセス手順メッセージは、チャネル予約メッセージによってさらに保護され得る。たとえば、アクセス端末１２０は、（特に、ランダムアクセスプリアンブル（Ｍｓｇ１）が再度送られている場合に）追加の保護のためにランダムアクセスプリアンブル（Ｍｓｇ１）の前にチャネル予約メッセージを送り得る。同様に、アクセス端末１２０はまた、追加の保護のためにＲＡＲメッセージ（Ｍｓｇ２）の前にチャネル予約メッセージを送り得る。アクセスポイント１１０は、それが、ランダムアクセスプリアンブル（Ｍｓｇ１）を検出したときに、ＲＡＲメッセージ（Ｍｓｇ２）の前にチャネル予約メッセージを送り得る。アクセスポイント１１０（またはアクセス端末１２０）はまた、（たとえば、ＲＡＲメッセージ（Ｍｓｇ２）の場合と共通または別個のチャネル予約メッセージを介して）ＲＲＣ要求（Ｍｓｇ３）のために通信媒体１４０を予約しようと試み得る。チャネル予約メッセージングはまた、ＲＲＣ要求（Ｍｓｇ３）許可済みスロットと、ＲＲＣ要求（Ｍｓｇ３）Ｐ−ＨＩＣＨと、競合解決メッセージ（Ｍｓｇ４）とを保護するために使用され得る。（ネットワークでシグナリングされるインバウンドモビリティなどの）いくつかの場合には、アクセスポイント１１０はまた、チャネル予約メッセージを介してランダムアクセスプリアンブル（Ｍｓｇ１）を保護することが可能であり得る。
【０１１４】
[00143]いくつかの設計では、様々なランダムアクセス手順メッセージが、アクセスポイント１１０の、アクセスが要求されているものとは異なるコンポーネントキャリア（ＰＣｅｌｌまたはＳＣｅｌｌ）上で送られ得る。アクセスポイント１１０のコンポーネントキャリア構成は、たとえば、ＲＲＣハンドオーバコマンドの一部としてブロードキャストされるか、または送られ得る。一例として、アクセス端末１２０は、所望の時間に空いているアクセスポイント１１０のどのコンポーネントキャリア上でもランダムアクセスプリアンブル（Ｍｓｇ１）を送り得る。アクセスポイント１１０も、アクセスポイント１１０の各コンポーネントキャリア上でＲＡＲメッセージ（Ｍｓｇ２）を送り得る。さらに、ＲＲＣ要求（Ｍｓｇ３）によって指定されたアップリンク許可は、コンポーネントキャリアの各々に適用されるように指定され得る。ＨＡＲＱプロセスフィードバック再送信許可も、アクセスポイント１１０のコンポーネントキャリアの各々に適用されるように指定され得る。
【０１１５】
[00144]アクセス端末１２０は、ＲＡＣＨ手順の間に別のアクセス端末と競合することがあり、競合完了メッセージ（Ｍｓｇ４）をアクセス端末１２０は受信するが、他のアクセス端末は（たとえば、競合ＲＡＴシステム１５０からの干渉に起因して）受信しない可能性がある。このケースに対処するために、アクセスポイント１１０は、競合の終わりまで競合解決アップリンクリソースの許可を回避することによって、（アクセスポイント１１０はそれを認識していないので潜在的な）他のアクセス端末を保護することを選択し得、これは、ＲＲＣ要求（Ｍｓｇ３）のための再送信プロセスを一時停止することによって行われ得る。
【０１１６】
[00145]図１９は、図２の仮想ＴＤＤフレーム構造とともに使用するように適応された例示的なページング構造を示すタイミング図である。この例では、例示の目的で、積極的競合ｅＤＲＳ周期性が４無線フレーム（すなわち、ＴAC-eDRS＝４）に設定され、ページングサイクルが３２無線フレームに設定される。
【０１１７】
[00146]ページングフレーム（ＰＦ）は、ページングおよびシステム情報変更通知に使用されるページングメッセージを送るための１つまたは複数のページングオケージョン（ＰＯ）サブフレームを含み得る無線フレームである。ＬＴＥでは、たとえば、アクセス端末１２０（この例ではＬＴＥ  ＵＥ）のＰＦのロケーションは、いくつかのページングパラメータによって、以下の式に従って定められる。
ＳＦＮ  ｍｏｄ  Ｔ  ＝  （Ｔ／Ｎ）＊（ＵＥ＿ＩＤ  ｍｏｄ  Ｎ）      （式１）
【０１１８】
[00147]ここで、Ｔはｍｉｎ（ＵＥ固有ＤＲＸ値，ＤｅｆａｕｌｔＰａｇｉｎｇＣｙｃｌｅ）であり、ＵＥ固有ＤＲＸサイクルとデフォルトのセル固有ＤＲＸサイクルとの間における最小ＤＲＸサイクルを表す。一方、Ｎはｍｉｎ（Ｔ，ｎＢ）であり、ＵＥのページングサイクルにおけるページングフレームの数を表し、ここでｎＢ＝｛２Ｔ，Ｔ，Ｔ／２，Ｔ／４，Ｔ／８，Ｔ／１６，Ｔ／３２｝である。最後に、ＵＥ＿ＩＤは国際モバイル加入者識別情報（ＩＭＳＩ）  ｍｏｄ  １０２４であり、擬似ランダム間隔値（a pseudorandom spacing value）として使用される。ＤｅｆａｕｌｔＰａｇｉｎｇＣｙｃｌｅおよびｎＢパラメータは、システム情報（ＳＩＢ−２）においてブロードキャストされる。
【０１１９】
[00148]上記のＬＴＥの例を続けると、アクセス端末１２０（この例でもＬＴＥ  ＵＥ）のＰＦでのＰＯのロケーションは、他のページングパラメータによって、以下の式に従って定められる。
ｉ＿ｓ＝ｆｌｏｏｒ（ＵＥ＿ＩＤ／Ｎ）  ｍｏｄ  Ｎｓ      （式２）
【０１２０】
[00149]ここで、追加のパラメータＮｓ＝ｍａｘ（１，ｎＢ／Ｔ）である。
【０１２１】
[00150]積極的競合ｅＤＲＳサブフレームの間にページングがスケジュールされることを確実にするために、ページングパラメータのうちの１つまたは複数は、積極的競合ｅＤＲＳサブフレームを含む無線フレームとすべてのＰＦをアラインするように、またその中にある積極的競合ｅＤＲＳサブフレームとすべてのＰＯをアラインするように、積極的競合ｅＤＲＳ周期性に基づいて特別に構成され得、これは実質的に、アクセスポイント１１０のＴＸＯＰとなるように保証される。たとえば、ｎＢパラメータは、積極的競合ｅＤＲＳ周期性とＰＦ周期性をマッチさせるために（Ｔ／ＴAC-eDRS）に設定され得る。図示の例では、図１９では、積極的競合ｅＤＲＳ周期性は４無線フレーム（すなわち、ＴAC-eDRS＝４）に設定されており、ｎＢはｎＢ＝Ｔ／４＝８に設定され得、したがって、Ｎ＝ｍｉｎ（Ｔ，Ｔ／４）＝Ｔ／４＝８およびＮｓ＝ｍａｘ（１，１／４）＝１である。したがって、所与のＰＦのロケーションは、ＳＦＮ  ｍｏｄ  Ｔ＝４＊（ＵＥ＿ＩＤ  ｍｏｄ  Ｔ／４）＝４の倍数にあり、これは、積極的競合ｅＤＲＳサブフレームを含む無線フレームとアラインしており、所与のＰＯのロケーションは、ｉ＿ｓ＝ｆｌｏｏｒ（ＵＥ＿ＩＤ／８）  ｍｏｄ  １  ＝０にあり、これは、積極的競合ｅＤＲＳサブフレームとアラインしており、そこでは、アクセスポイント１１０が通信媒体１４０を捕捉する可能性が最も高い。
【０１２２】
[00151]図２０は、図２の仮想ＴＤＤフレーム構造とともに使用され得るハンドオーバ手順の例示的な態様を示すシグナリングフロー図である。この例では、アクセス端末１２０は、アクセスポイント１１０との接続状態で動作しており、それは、ハンドオーバ手順のソースアクセスポイントとして働く。ソースアクセスポイント１１０は通信媒体１４０で、ＰＣｅｌｌ２００２とＳＣｅｌｌ２００４とを含む２つのセルを介してそれぞれのコンポーネントキャリア上でサービスを提供する。近くで動作している近隣アクセスポイント２０１０は、ハンドオーバ手順のターゲットアクセスポイントとして働く。ターゲットアクセスポイント２０１０も同様に通信媒体１４０で、ＰＣｅｌｌ２００６とＳＣｅｌｌ２００８とを含む２つのセルを介してそれぞれのコンポーネントキャリア上でサービスを提供する。図示のシグナリングは、関連部分においてのみ示される一般化であり、所与のハンドオーバ手順実装形態では、ある種の図示のシグナリングが省略されることがあり、他のシグナリングが追加されることがあることが諒解されよう。たとえば、バックワードハンドオーバ手順は、アクセス端末１２０とソースアクセスポイント１１０との間のある種のハンドオーバ関連情報の交換を含み得るのに対し、フォワードハンドオーバ手順は、このシグナリングを省略すること、またはアクセス端末１２０とターゲットアクセスポイント２０１０との間の同様もしくは代替のハンドオーバ関連情報の交換を含むことができる。
【０１２３】
[00152]アクセス端末１２０は、ソースアクセスポイント１１０との接続の間に、様々なシグナリング測定を実行し、報告する（シグナリング２０２０）。たとえば、アクセス端末１２０は、それのサービングセル（たとえば、ソースアクセスポイント１１０のＰＣｅｌｌ２００２）および任意の候補隣接セル（たとえば、ターゲットアクセスポイント２０１０のＰＣｅｌｌ２００６）の信号強度／品質（たとえば、受信信号強度インジケータ（ＲＳＳＩ）、基準信号受信電力（ＲＳＲＰ）など）を監視し得る。上記でより詳細に説明されたように、測定は、図２の仮想ＴＤＤフレーム構造に基づいて１つまたは複数のｅＤＲＳサブフレームにおいて実行され得る。
【０１２４】
[00153]いくつかの設計では、測定ギャップスケジューリングに依存するのではなく、別個の受信機チェーン（たとえば、１次ＲＡＴトランシーバの第２のインスタンス）を使用して周波数間測定を実行することは有利であり得る。他の設計では、測定ギャップが利用されるとき、それらは、１つまたは複数のｅＤＲＳサブフレームとアラインする（たとえば、比較的短く頻繁になる）ようにスケジュールされ得る。さらに、フレーム構造タイミングは、あるコンポーネントキャリアから次のコンポーネントキャリアに、それらのそれぞれのｅＤＲＳサブフレームが重複しないようにオフセットされ得、それによって、周波数間測定と周波数内測定の両方が対立せずに実行されることが可能になる。
【０１２５】
[00154]図２０に戻ると、ある時点において、シグナリング測定に基づいてハンドオーバトリガリングイベントが検出され得る（ブロック２０２２）。たとえば、周波数内隣接セルの信号強度／品質がサービングセルの信号強度／品質を、時間のしきい値量に対するしきい値（たとえば、３２０ｍｓに対する３ｄＢ）だけ上回るときに、ＬＴＥ「Ａ３」イベントなどの周波数内トリガリングイベントが検出され得る。別の例として、サービングセルの信号強度／品質がしきい値（たとえば、−１１８ｄＢ）を割り込むときに、ＬＴＥ「Ａ２」イベントなどの周波数間トリガリングイベントが検出され得る。別の例として、周波数間隣接セルの信号強度／品質が別のしきい値を上回るときに、ＬＴＥ「Ａ４」イベントなどの周波数間トリガリングイベントが検出され得る。
【０１２６】
[00155]ハンドオーバトリガリングイベントの検出（ブロック２０２２）に応答して、ソースアクセスポイント１１０は、ターゲットアクセスポイント２０１０に移動するようアクセス端末１２０に命令するハンドオーバコマンド（たとえば、ＲＲＣ接続再構成メッセージ）をアクセス端末１２０に送り得る（シグナリング２０２４）。応答してまたは独立して、アクセス端末１２０は次いで、ターゲットアクセスポイント２０１０に接続するためのアクセス手順（たとえば、ＲＡＣＨ、ＲＲＣ接続再確立要求など）を開始し得る（シグナリング２０２６）。アクセス端末１２０がターゲットアクセスポイント２０１０に接続すると、それらは、ハンドオーバを完了させるためにハンドオーバ確認（たとえば、ＲＲＣ接続再構成完了、ＲＲＣ接続再確立、ＲＲＣ接続確立完了＋再構成など）を交換し得る（シグナリング２０２８）。
【０１２７】
[00156]図２０に示されているように、様々なハンドオーバシグナリングは、代替コンポーネントキャリアまたはさらには複数のコンポーネントキャリア上でのそれらの送信を構成することによって、通信媒体１４０上で生じ得る競合および干渉問題に対処するために、よりロバストなものにされ得る。たとえば、測定報告シグナリング２０２０が、アクセス端末１２０からソースアクセスポイント１１０にＰＣｅｌｌ２００２、ＳＣｅｌｌ２００４、または両方を介して送られ得る。別の例として、ハンドオーバコマンドシグナリング２０２４が、ソースアクセスポイント１１０からアクセス端末１２０にＰＣｅｌｌ２００２、ＳＣｅｌｌ２００４、または両方を介して送られ得る。別の例として、アクセスシグナリング２０２６が、アクセス端末１２０からターゲットアクセスポイント２０１０にＰＣｅｌｌ２００６、ＳＣｅｌｌ２００８、または両方を介して送られ得る。別の例として、ハンドオーバ確認シグナリング２０２８が、ターゲットアクセスポイント２０１０とアクセス端末１２０との間でＰＣｅｌｌ２００６、ＳＣｅｌｌ２００８、または両方を介して交換され得る。
【０１２８】
[00157]同様に、同期をよりロバストに維持するために、アクセス端末はまた、ソースアクセスポイント１１０の場合のＰＣｅｌｌ２００２、ＳＣｅｌｌ２００４、または両方、およびターゲットアクセスポイント２０１０の場合のＰＣｅｌｌ２００６、ＳＣｅｌｌ２００８、または両方を介した同期シグナリング（たとえば、無線リンク監視（ＲＬＭ））を監視し得る。
【０１２９】
[00158]無線（over-the-air）シグナリングに加えて、ソースアクセスポイント１１０およびターゲットアクセスポイント２０１０は、ハンドオーバプロセスを容易にするためにバックホール２０５０（たとえば、Ｘ２接続）を介して様々なシグナリングを交換し得る。たとえば、ソースアクセスポイント１１０はターゲットアクセスポイント２０１０に、アクセス端末状態情報、セキュリティ情報、アクセス端末能力情報、アクセス端末関連論理接続の識別情報などの、アクセス端末１２０に関するアクセス端末コンテキスト情報２０５２を送り得る。
【０１３０】
[00159]様々なバックホールハンドオーバシグナリングはまた、ハンドオーバトリガリングを予期して、早期にセットアップ情報を交換することによって、通信媒体１４０上で生じ得る競合およびレイテンシ問題に対処するために、よりロバストなものにされ得る。たとえば、ソースアクセスポイント１１０は、ターゲットアクセスポイント２０１０に潜在的なハンドオーバの準備をさせるために、ハンドオーバが始まる前にターゲットアクセスポイント２０１０にアクセス端末コンテキスト２０５２を予測的に提供し得る。交換は、測定報告（シグナリング２０２０）における情報によって促進され得る。たとえば、サービングアクセスポイント１１０の信号強度／品質が、実際のハンドオーバトリガしきい値よりも高いハンドオーバ警告しきい値を割り込んだときに、交換は促進され得る。
【０１３１】
[00160]いくつかの設計では、ハンドオーバシグナリングのために通信媒体１４０へのアクセスを優先するために、ソースアクセスポイント１１０、ターゲットアクセスポイント２０１０、またはアクセス端末１２０は、ｅＤＲＳサブフレームのための積極的な競合に関して上記でより詳細に説明されたような比較的積極的な競合パラメータ（たとえば、比較的低いバックオフしきい値、比較的小さい競合ウィンドウなど）を使用して、通信媒体１４０に対して競合し得る。
【０１３２】
[00161]いくつかの設計では、様々なハンドオーバメッセージは、チャネル予約メッセージによってさらに保護され得る。たとえば、アクセス端末１２０は、測定報告シグナリング２０２０の前に、ＰＣｅｌｌ２００２、ＳＣｅｌｌ２００４、または両方に対応するキャリアを介して、チャネル予約メッセージを送り得る。別の例として、ソースアクセスポイント１１０は、ハンドオーバコマンドシグナリング２０２４の前に、ＰＣｅｌｌ２００２、ＳＣｅｌｌ２００４、または両方に対応するキャリアを介して、チャネル予約メッセージを送り得る。別の例として、アクセス端末１２０は、アクセスシグナリング２０２６の前に、ＰＣｅｌｌ２００６、ＳＣｅｌｌ２００８、または両方に対応するキャリアを介して、チャネル予約メッセージを送り得る。別の例として、ターゲットアクセスポイント２０１０は、ハンドオーバ確認シグナリング２０２８の前に、ＰＣｅｌｌ２００６、ＳＣｅｌｌ２００８、または両方に対応するキャリアを介して、チャネル予約メッセージを送り得る。アクセス端末１２０がソースアクセスポイント１１０を介してターゲットアクセスポイント２０１０のＰＣｅｌｌおよびＳＣｅｌｌ  ＲＡＣＨ構成およびペアリングを知らされていない場合、それは、キャリアアグリゲーション目的でセルのペアにどのセルが対応するかをアクセス端末に知らせるターゲットアクセスポイント２０１０からのブロードキャスト情報から、ペアリングを導出し得る。
【０１３３】
[00162]異なる事業者に関連する１次ＲＡＴデバイスからｅＤＲＳサブフレームへの干渉を軽減するために、図２の仮想ＴＤＤフレーム構造は、事業者にわたってｅＤＲＳサブフレームのアラインメントを回避するように時間的にずらされ得る。
【０１３４】
[00163]図２１は、図２の仮想ＴＤＤフレーム構造による事業者間フレームずらしの一例を示す。例示の目的で、アクセスポイント１１０は、同じであるがオフセットされたフレーム構造に従って動作する別のアクセスポイント２１１０を含む協調システムの一部として示されている。アクセスポイント１１０およびアクセスポイント２１１０は異なる事業者によって提供されており、アクセスポイント１１０は第１の事業者Ａ（ＯＰ−Ａ）に対応し、アクセスポイント２１１０は第２の事業者Ｂ（ＯＰ−Ｂ）に対応する。
【０１３５】
[00164]図示のように、第１の事業者Ａに関連する無線フレームは、第２の事業者Ｂに関連する無線フレームと比較して、いくつかのサブフレームだけオフセットされる。図示の例では、オフセットは５サブフレームであり、たとえば、事業者ＢのＳＦＮ  Ｎの開始は、事業者ＡのＳＦＮ  Ｎの開始の５サブフレーム後に始まる。各事業者は、ランダムに、または事業者固有のパラメータに応じて（たとえば、ＰＬＭＮ  ＩＤに基づいて）オフセットを選択し得る。これは、無線フレームごとに送られたｅＤＲＳサブフレームの場合に１／１０、１無線フレームおきに（every other radio frame）送られたｅＤＲＳサブフレームの場合に１／２０、などの再使用パターンを可能にする。追加または代替として、ｅＤＲＳシグナリング（たとえば、ＰＳＳ／ＳＳＳ）は、ｅＤＲＳサブフレーム内でずらされ得、ＣＲＳなどの他のシグナリングは、周波数で（たとえば、最大３サブキャリアだけ）オフセットされ得る。
【０１３６】
[00165]図２２は、上記で説明された技法による通信の例示的な方法を示すフロー図である。方法２２００は、たとえば、共有通信媒体上で動作するアクセスポイント（たとえば、図１に示されるアクセスポイント１１０）によって実行され得る。一例として、通信媒体は、ＬＴＥ技術デバイスとＷｉ−Ｆｉ技術デバイスとの間で共有される免許不要無線周波数帯域上に１つまたは複数の時間、周波数、または空間リソースを含み得る。
【０１３７】
[00166]図示のように、アクセスポイントは、第１の持続時間にわたる第１のＴＸＯＰのために通信媒体へのアクセスを求めて競合し得る（ブロック２２０２）。アクセスポイントは、第１のＴＸＯＰの間にアクセス端末に、第２の持続時間にわたる第２のＴＸＯＰのためにアップリンクリソースをアクセス端末に許可するスケジューリング許可を送信し得る（ブロック２２０４）。アクセスポイントは、第２のＴＸＯＰのために通信媒体へのアクセスを求めて競合し得る（ブロック２２０６）。アクセスポイントは、第２のＴＸＯＰの間に、許可されたアップリンクリソースでアクセス端末からアップリンクシグナリングを受信し得る（ブロック２２０８）。
【０１３８】
[00167]上記でより詳細に説明されたように、第１のＴＸＯＰおよび第２のＴＸＯＰは、第１の持続時間と第２の持続時間との間に介在時間期間があるように時間的に不連続であり得る。さらに、スケジューリング許可は、介在時間期間のためにスケジュールされた任意のアップリンクサブフレームを無視し、許可されたアップリンクリソースを第２のＴＸＯＰの間のアップリンクサブフレームに持ち越すように、アクセス端末を構成し（configure）得る。
【０１３９】
[00168]アクセスポイントはまた、第１のＴＸＯＰ、第２のＴＸＯＰ、または両方のために通信媒体を予約するチャネル予約メッセージを送信し得る。
【０１４０】
[00169]いくつかの設計では、送信すること（ブロック２２０４）は、共通制御チャネルでスケジューリング許可をブロードキャストすることを備え得る。
【０１４１】
[00170]アクセスポイントはまた、第１のＴＸＯＰの間に、アクセス端末にスケジューリング許可を再送信し得る。たとえば、スケジューリング許可は、第１のＴＸＯＰの第１のダウンリンクサブフレームにおいて送信され、第１のＴＸＯＰの第２のダウンリンクサブフレームにおいて再送信され得る。スケジューリング許可はまた、さらに、第１のＴＸＯＰのためにアップリンクリソースをアクセス端末に許可し得る。
【０１４２】
[00171]図２３は、上記で説明された技法による通信の別の例示的な方法を示すフロー図である。方法２３００は、たとえば、共有通信媒体上で動作するアクセス端末（たとえば、図１に示されるアクセス端末１２０）によって実行され得る。一例として、通信媒体は、ＬＴＥ技術デバイスとＷｉ−Ｆｉ技術デバイスとの間で共有される免許不要無線周波数帯域上に１つまたは複数の時間、周波数、または空間リソースを含み得る。
【０１４３】
[00172]図示のように、アクセス端末は、第１の持続時間にわたる第１のＴＸＯＰの間に、アクセス端末による送信のためにアップリンクリソースを許可するスケジューリング許可をアクセスポイントから受信し得る（ブロック２３０２）。アクセス端末は、第２の持続時間にわたる第２のＴＸＯＰにおけるスケジューリング許可に対応するアップリンクリソースを識別し得る（ブロック２３０４）。アクセス端末は、第２のＴＸＯＰの間に、識別されたアップリンクリソースでアクセスポイントにアップリンクシグナリングを送信し得る（ブロック２３０６）。
【０１４４】
[00173]上記でより詳細に説明されたように、第１のＴＸＯＰおよび第２のＴＸＯＰは、第１の持続時間と第２の持続時間との間に介在時間期間があるように時間的に不連続であり得る。さらに、アクセス端末は、介在時間期間のためにスケジュールされた任意のアップリンクサブフレームを無視し、許可されたアップリンクリソースを第２のＴＸＯＰの間のアップリンクサブフレームに持ち越し得る。
【０１４５】
[00174]いくつかの設計では、アクセス端末は、共通制御チャネルでスケジューリング許可を受信し得る。アクセス端末はまた、第１のＴＸＯＰの間に、アクセスポイントからスケジューリング許可の再送信を受信し得る。たとえば、スケジューリング許可は、第１のＴＸＯＰの第１のダウンリンクサブフレームにおいて受信され、スケジューリング許可の再送信は、第１のＴＸＯＰの第２のダウンリンクサブフレームにおいて受信され得る。アクセス端末はまた、第１のＴＸＯＰにおけるスケジューリング許可に対応するアップリンクリソースを識別し、第１のＴＸＯＰの間に、識別されたアップリンクリソースでアクセスポイントにアップリンクシグナリングを送信し得る。
【０１４６】
[00175]図２４は、上記で説明された技法による通信の別の例示的な方法を示すフロー図である。方法２４００は、たとえば、共有通信媒体上で動作するアクセスポイント（たとえば、図１に示されるアクセスポイント１１０）またはアクセス端末（たとえば、図１に示されるアクセス端末１２０）によって実行され得る。一例として、通信媒体は、ＬＴＥ技術デバイスとＷｉ−Ｆｉ技術デバイスとの間で共有される免許不要無線周波数帯域上に１つまたは複数の時間、周波数、または空間リソースを含み得る。
【０１４７】
[00176]図示のように、アクセスポイントまたはアクセス端末は、一連のフレームおよびサブフレームを定義するＴＤＤフレーム構造に従って通信媒体で情報を受信し得る（ブロック２４０２）。アクセスポイントまたはアクセス端末は、通信媒体で確認応答チャネルを搬送するためのサブフレームリソースのセットを決定することができ、サブフレームリソースの決定されたセットがサブフレームのしきい値割合以下を占有する（ブロック２４０４）。アクセスポイントまたはアクセス端末は、サブフレームリソースの決定されたセットを介して確認応答チャネルで、受信された情報に関連する１つまたは複数の確認応答メッセージを送信し得る（ブロック２４０６）。
【０１４８】
[00177]上記でより詳細に説明されたように、サブフレームのしきい値割合は、たとえば、２つ以下のＯＦＤＭシンボル期間を備え得る。サブフレームリソースの決定されたセットはまた、ＯＦＤＭトーンの１つまたは複数のインターリーブされたブロックで周波数において拡散され得る。別の例として、サブフレームのしきい値割合は、競合なしの時間期間に対応し得る。競合なしの時間期間は、たとえば、ＴＤＤフレーム構造によって定義されたフレームの持続時間の５％以下にわたり得る。
【０１４９】
[00178]受信すること（ブロック２４０４）は、１つまたは複数のダウンリンクサブフレームの第１のグループ上で情報を受信することと、１つまたは複数のダウンリンクサブフレームの第２のグループ上で情報を受信することとを備えることができ、送信すること（ブロック２４０６）は、１つまたは複数のダウンリンクサブフレームの第１のグループ上で受信された情報に確認応答する確認応答メッセージを、第１のアップリンクサブフレーム上で送信することと、１つまたは複数のダウンリンクサブフレームの第２のグループ上で受信された情報と１つまたは複数のダウンリンクサブフレームの第１のグループ上で受信された情報とに確認応答する確認応答メッセージを、第１のアップリンクサブフレームの後の第２のアップリンクサブフレーム上で送信することとを備え得る。
【０１５０】
[00179]アクセスポイントは、情報が第１のＴＸＯＰの間に正常に受信されていないと決定すると、確認応答チャネルでアクセス端末に、情報に関連する肯定確認応答メッセージを送信し、共通制御チャネルでアクセス端末にいかなる送信許可も送信するのを控えることができる。アクセスポイントは次いで、第２のＴＸＯＰの間に、情報の再送信を受信し得る。第１のＴＸＯＰおよび第２のＴＸＯＰは、時間的に不連続であり得る。
【０１５１】
[00180]図２５は、上記で説明された技法による通信の別の例示的な方法を示すフロー図である。方法２５００は、たとえば、共有通信媒体上で動作するアクセスポイント（たとえば、図１に示されるアクセスポイント１１０）によって実行され得る。一例として、通信媒体は、ＬＴＥ技術デバイスとＷｉ−Ｆｉ技術デバイスとの間で共有される免許不要無線周波数帯域上に１つまたは複数の時間、周波数、または空間リソースを含み得る。
【０１５２】
[00181]図示のように、アクセスポイントは、ＴＤＤフレーム構造に従って通信媒体で発見基準シグナリングの送信のための１つまたは複数のサブフレームを指定し得る（ブロック２５０２）。アクセスポイントは、指定されたサブフレームの各々の間に発見基準シグナリングを送信し得、発見基準シグナリングがＰＳＳと、ＳＳＳと、ＣＲＳと、ＣＳＩ−ＲＳと、ＭＩＢ信号と、ＳＩＢ信号とを備える（ブロック２５０４）。
【０１５３】
[00182]上記でより詳細に説明されたように、指定されたサブフレームは、周期的に発生するようにスケジュールされ得る。たとえば、指定されたサブフレームは、ＴＤＤフレーム構造の各フレームの間に１回発生するようにスケジュールされ得る。
【０１５４】
[00183]いくつかの設計では、アクセスポイントは、発見基準シグナリングのために積極的な競合周期性を設定し、指定されたサブフレームの各々のために、積極的な競合周期性に関係するサブフレームのタイミングに基づいて、１つまたは複数の競合パラメータを選択し得る。アクセスポイントは、指定されたサブフレームの各々のために、サブフレームのために選択された１つまたは複数の競合パラメータに基づいて、通信媒体へのアクセスを求めて競合し、競合に基づいて、指定されたサブフレームの各々の間に発見基準シグナリングを選択的に送信し得る。１つまたは複数の競合パラメータは、たとえば、バックオフしきい値、競合ウィンドウサイズ、またはそれらの組合せを備え得る。ここで、積極的な競合周期性とアラインするサブフレームの場合には、積極的な競合周期性とアラインしないサブフレームの場合よりも高いバックオフしきい値が選択されること、積極的な競合周期性とアラインするサブフレームの場合には、積極的な競合周期性とアラインしないサブフレームの場合よりも短い競合ウィンドウが選択されること、またはそれらの組合せがある。
【０１５５】
[00184]いくつかの設計では、ＳＳＳは、指定された各サブフレームの間に少なくとも２回、およびいくつかの場合には指定された各サブフレームの間に３回以上送信されるように構成された強化型ＳＳＳを備え得る。
【０１５６】
[00185]一般性のために、アクセスポイント１１０およびアクセス端末１２０は図１において、それぞれ媒体アクセスマネージャ１１２および媒体アクセスマネージャ１２２を含むものとして関連部分においてのみ示されている。しかしながら、アクセスポイント１１０およびアクセス端末１２０は、本明細書で説明される競合技法を提供またはさもなければサポートするように様々な方法で構成され得ることが諒解されよう。
【０１５７】
[00186]図２６は、１次ＲＡＴシステム１００のアクセスポイント１１０およびアクセス端末１２０の例示的なコンポーネントをより詳細に示すデバイスレベル図である。図示のように、アクセスポイント１１０およびアクセス端末１２０は、それぞれ一般に、少なくとも１つの指定されたＲＡＴを介して他のワイヤレスノードと通信するための（通信デバイス２６３０および２６５０によって表される）ワイヤレス通信デバイスを含み得る。通信デバイス２６３０および２６５０は、指定されたＲＡＴに従って信号（たとえば、メッセージ、インジケーション、情報、パイロットなど）を送信および符号化するように、また逆に信号を受信し復号するように様々に構成され得る。
【０１５８】
[00187]通信デバイス２６３０および２６５０は、たとえば、それぞれの１次ＲＡＴトランシーバ２６３２および２６５２、ならびにいくつかの設計では、（たとえば、競合ＲＡＴシステム１５０によって利用されるＲＡＴに対応する）それぞれ、（随意の）コロケートされた２次ＲＡＴトランシーバ２６３４および２６５４などの、１つまたは複数のトランシーバを含み得る。本明細書で使用される「トランシーバ」は、送信機回路、受信機回路、またはそれらの組合せを含み得るが、すべての設計において送信機能と受信機能の両方を提供する必要はない。たとえば、いくつかの設計では、完全な通信を提供することが必要ではないときにコストを減らすために、低機能受信機回路（たとえば、低レベルのスニッフィング（sniffing）のみを提供する無線チップまたは同様の回路）が利用され得る。さらに、本明細書で使用される「コロケートされる」（たとえば、無線機、アクセスポイント、トランシーバなど）という用語は、様々な配置のうちの１つを指し得る。たとえば、同じハウジングにあるコンポーネント、同じプロセッサによってホストされるコンポーネント、互いに定められた距離の範囲内にあるコンポーネント、および／またはインターフェース（たとえば、イーサネット（登録商標）スイッチ）を介して接続される、任意の必要な間通信（たとえば、メッセージング）のレイテンシ要件をインターフェースが満たす、コンポーネントである。
【０１５９】
[00188]アクセスポイント１１０およびアクセス端末１２０はまた、それぞれ一般に、それらのそれぞれの通信デバイス２６３０おおび２６５０の動作を制御する（たとえば、方向付ける、修正する、有効化する、無効化する、など）ための（通信コントローラ２６４０および２６６０によって表される）通信コントローラを含み得る。通信コントローラ２６４０および２６６０は、１つまたは複数のプロセッサ２６４２および２６６２と、それぞれプロセッサ２６４２および２６６２に結合された１つまたは複数のメモリ２６４４および２６６４とを含み得る。メモリ２６４４および２６６４は、オンボードキャッシュメモリ、別個のコンポーネント、組合せなどのいずれかとして、データ、命令、またはそれらの組合せを記憶するように構成され得る。プロセッサ２６４２および２６６２ならびにメモリ２６４４および２６６４は、スタンドアロン通信コンポーネントであり得、またはアクセスポイント１１０およびアクセス端末１２０のそれぞれのホストシステム機能の一部であり得る。
【０１６０】
[00189]媒体アクセスマネージャ１１２および媒体アクセスマネージャ１２２が異なる方法で実装され得ることが諒解されよう。いくつかの設計では、それらに関連する機能の一部または全部は、少なくとも１つのプロセッサ（たとえば、プロセッサ２６４２のうちの１つもしくは複数および／またはプロセッサ２６６２のうちの１つもしくは複数）ならびに少なくとも１つのメモリ（たとえば、メモリ２６４４のうちの１つもしくは複数および／またはメモリ２６６４のうちの１つもしくは複数）によって実装されるか、あるいはさもなければそれらの指示によるものであり得る。他の設計では、それらに関連する機能の一部または全部は、一連の相互に関係する機能モジュールとして実装され得る。
【０１６１】
[00190]図２７は、一連の相互に関係する機能モジュールとして表される媒体アクセスマネージャ１１２および／または媒体アクセスマネージャ１２２を実装するための例示的な装置を示す。図示の例では、装置２７００は、競合するためのモジュール２７０２と、送信するためのモジュール２７０４と、競合するためのモジュール２７０６と、受信するためのモジュール２７０８とを含む。
【０１６２】
[00191]競合するためのモジュール２７０２は、第１の持続時間にわたる第１のＴＸＯＰのために通信媒体へのアクセスを求めて競合するように構成され得る。送信するためのモジュール２７０４は、第１のＴＸＯＰの間にアクセス端末に、第２の持続時間にわたる第２のＴＸＯＰのためにアップリンクリソースをアクセス端末に許可するスケジューリング許可を送信するように構成され得る。競合するためのモジュール２７０６は、第２のＴＸＯＰのために通信媒体へのアクセスを求めて競合するように構成され得る。受信するためのモジュール２７０８は、第２のＴＸＯＰの間に、許可されたアップリンクリソースでアクセス端末からアップリンクシグナリングを受信するように構成され得る。
【０１６３】
[00192]図２８は、一連の相互に関係する機能モジュールとして表される媒体アクセスマネージャ１２２を実装するための別の例示的な装置を示す。図示の例では、装置２８００は、受信するためのモジュール２８０２と、識別するためのモジュール２８０４と、送信するためのモジュール２８０６とを含む。
【０１６４】
[00193]受信するためのモジュール２８０２は、第１の持続時間にわたる第１のＴＸＯＰの間に、アクセス端末による送信のためにアップリンクリソースを許可するスケジューリング許可をアクセスポイントから受信するように構成され得る。識別するためのモジュール２８０４は、第２の持続時間にわたる第２のＴＸＯＰにおけるスケジューリング許可に対応するアップリンクリソースを識別するように構成され得る。送信するためのモジュール２８０６は、第２のＴＸＯＰの間に、識別されたアップリンクリソースでアクセスポイントにアップリンクシグナリングを送信するように構成され得る。
【０１６５】
[00194]図２９は、一連の相互に関係する機能モジュールとして表される媒体アクセスマネージャ１１２および／または媒体アクセスマネージャ１２２を実装するための別の例示的な装置を示す。図示の例では、装置２９００は、受信するためのモジュール２９０２と、決定するためのモジュール２９０４と、送信するためのモジュール２９０６とを含む。
【０１６６】
[00195]受信するためのモジュール２９０２は、一連のフレームおよびサブフレームを定義するＴＤＤフレーム構造に従って通信媒体で情報を受信するように構成され得る。決定するためのモジュール２９０４は、通信媒体で確認応答チャネルを搬送するためのサブフレームリソースのセットを決定するように構成され得、サブフレームリソースの決定されたセットがサブフレームのしきい値割合以下を占有する。送信するためのモジュール２９０６は、サブフレームリソースの決定されたセットを介して確認応答チャネルで、受信された情報に関連する１つまたは複数の確認応答メッセージを送信するように構成され得る。
【０１６７】
[00196]図３０は、一連の相互に関係する機能モジュールとして表される媒体アクセスマネージャ１１２を実装するための別の例示的な装置を示す。図示の例では、装置３０００は、指定するためのモジュール３００２と、送信するためのモジュール３００４とを含む。
【０１６８】
[00197]指定するためのモジュール３００２は、ＴＤＤフレーム構造に従って通信媒体で発見基準シグナリングの送信のための１つまたは複数のサブフレームを指定するように構成され得る。送信するためのモジュール３００４は、指定されたサブフレームの各々の間に発見基準シグナリングを送信するように構成され得、発見基準シグナリングがＰＳＳと、ＳＳＳと、ＣＲＳと、ＣＳＩ−ＲＳと、ＭＩＢ信号と、ＳＩＢ信号とを備える。
【０１６９】
[00198]図２７〜図３０のモジュールの機能は、本明細書の教示に一致する様々な方法で実装され得る。いくつかの設計では、これらのモジュールの機能は、１つまたは複数の電気的コンポーネントとして実装され得る。いくつかの設計では、これらのブロックの機能は、１つまたは複数のプロセッサコンポーネントを含む処理システムとして実装され得る。いくつかの設計では、これらのモジュールの機能は、たとえば、１つまたは複数の集積回路（たとえば、ＡＳＩＣ）の少なくとも一部分を使用して実装され得る。本明細書において論じられるように、集積回路は、プロセッサ、ソフトウェア、他の関係するコンポーネント、またはそれらの何らかの組合せを含み得る。したがって、異なるモジュールの機能は、たとえば、集積回路の異なるサブセットとして、ソフトウェアモジュールのセットの異なるサブセットとして、またはそれらの組合せとして実装され得る。また、（たとえば、集積回路のおよび／またはソフトウェアモジュールのセットの）所与のサブセットは、機能の少なくとも一部分を２つ以上のモジュールに与え得ることが諒解されよう。
【０１７０】
[00199]さらに、図２７〜図３０によって表されるコンポーネントおよび機能ならびに本明細書で説明される他のコンポーネントおよび機能は、任意の適切な手段を使用して実装され得る。そのような手段はまた、少なくとも部分的に、本明細書で教示される対応する構造を使用して実装され得る。たとえば、図２７〜図３０のコンポーネント「のためのモジュール」に関連して上記で説明されたコンポーネントは、同様に指定された機能「のための手段」に対応することもある。したがって、いくつかの態様では、そのような手段のうちの１つまたは複数は、アルゴリズムを含む、本明細書で教示されるプロセッサコンポーネント、集積回路、または他の適切な構造のうちの１つまたは複数を使用して実装され得る。当業者は本開示において、上記で説明された文章において、また擬似コードによって表され得るアクションのシーケンスにおいて表されるアルゴリズムを認識されよう。たとえば、図２７〜図３０によって表されるコンポーネントおよび機能は、ＬＯＡＤ演算、ＣＯＭＰＡＲＥ演算、ＲＥＴＵＲＮ演算、ＩＦ−ＴＨＥＮ−ＥＬＳＥループなどを実行するためのコードを含み得る。
【０１７１】
[00200]本明細書における「第１」、「第２」などの指定を使用した要素への任意の言及は、それらの要素の数量または順序を全般的に限定するものでないことを理解されたい。そうではなく、これらの指定は、本明細書で、２つ以上の要素または要素のインスタンスの間で区別する便利な方法として使用され得る。したがって、第１および第２の要素への言及は、そこで２つの要素のみが用いられ得ること、または第１の要素が何らかの方法で第２の要素に先行しなければならないことを意味するものではない。また、別段に記載されていない限り、要素のセットは１つまたは複数の要素を備え得る。さらに、明細書または特許請求の範囲において使用される「Ａ、Ｂ、またはＣのうちの少なくとも１つ」または「Ａ、Ｂ、またはＣのうちの１つまたは複数」または「Ａ、Ｂ、およびＣからなるグループのうちの少なくとも１つ」という形式の用語は、「ＡまたはＢまたはＣあるいはこれらの要素の任意の組合せ」を意味する。たとえば、この用語は、Ａ、またはＢ、またはＣ、またはＡおよびＢ、またはＡおよびＣ、またはＡおよびＢおよびＣ、または２Ａ、または２Ｂ、または２Ｃなどを含み得る。
【０１７２】
[00201]上記の記述および説明に鑑みて、本明細書で開示される態様に関して説明された様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアとのこの互換性を明瞭に示すために、様々な例示的なコンポーネント、ブロック、モジュール、回路、およびステップは、上記では全般的にその機能に関して説明された。そのような機能がハードウェアとして実装されるか、ソフトウェアとして実装されるかは、特定の適用例および全体的なシステムに課された設計制約に依存する。当業者は、説明された機能を特定の適用例ごとに様々な方法で実装し得るが、そのような実装決定が、本開示の範囲からの逸脱を引き起こすと解釈されるべきではない。
【０１７３】
[00202]したがって、たとえば、装置または装置の任意のコンポーネントは、本明細書で教示される機能を与えるように構成され得る（またはそのように動作可能になるかもしくは適応され得る）ことが諒解されよう。これは、たとえば、その機能を与えるように装置もしくはコンポーネントを製造する（たとえば、作製する）ことによって、その機能を与えるように装置もしくはコンポーネントをプログラムすることによって、または何らかの他の適切な実装技法の使用によって、達成され得る。一例として、集積回路は、必須の機能を与えるために作製され得る。別の例として、集積回路は、必須の機能をサポートするために作製され、次いで、必須の機能を与えるように（たとえば、プログラミングによって）構成され得る。また別の例として、プロセッサ回路は、必須の機能を与えるためのコードを実行し得る。
【０１７４】
[00203]その上、本明細書で開示される態様に関して説明された方法、シーケンス、および／またはアルゴリズムは、ハードウェアで直接具現化されるか、プロセッサによって実行されるソフトウェアモジュールで具現化されるか、またはそれらの２つの組合せで具現化され得る。ソフトウェアモジュールは、ランダムアクセスメモリ（ＲＡＭ）、フラッシュメモリ、読取り専用メモリ（ＲＯＭ）、消去可能プログラマブル読取り専用メモリ（ＥＰＲＯＭ）、電気的消去可能プログラマブル読取り専用メモリ（ＥＥＰＲＯＭ（登録商標））、レジスタ、ハードディスク、リムーバブルディスク、ＣＤ−ＲＯＭ、または当技術分野で知られている任意の他の形態の一時的もしくは非一時的記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサ（たとえば、キャッシュメモリ）に一体化され得る。
【０１７５】
[00204]したがって、たとえば、本開示のいくつかの態様が、通信のための方法を具現化している一時的または非一時的コンピュータ可読媒体を含み得ることも諒解されよう。
【０１７６】
[00205]上述の開示は、様々な例示的な態様を示すが、様々な変更および修正が、添付の特許請求の範囲によって定義される範囲から逸脱することなく、示された例に対して行われ得ることに留意されたい。本開示は、具体的に示された例のみに限定されることは意図されていない。たとえば、別段に記載されていない限り、本明細書で説明された本開示の態様による方法クレームの機能、ステップおよび／またはアクションは、特定の順序で実行されなくてもよい。さらに、いくつかの態様は、単数形で説明または特許請求されていることがあるが、単数形に限定することが明示的に述べられていない限り、複数形が企図される。
以下に、本願出願の当初の特許請求の範囲に記載された発明を付記する。
［Ｃ１］
第１の持続時間にわたる第１の送信機会（ＴＸＯＰ）のために通信媒体へのアクセスを求めて競合することと、
前記第１のＴＸＯＰの間にアクセス端末に、第２の持続時間にわたる第２のＴＸＯＰのためにアップリンクリソースを前記アクセス端末に許可するスケジューリング許可を送信することと、
前記第２のＴＸＯＰのために前記通信媒体へのアクセスを求めて競合することと、
前記第２のＴＸＯＰの間に、前記許可されたアップリンクリソースで前記アクセス端末からアップリンクシグナリングを受信することと
を備える、通信方法。
［Ｃ２］
前記第１のＴＸＯＰおよび前記第２のＴＸＯＰは、前記第１の持続時間と前記第２の持続時間との間に介在時間期間があるように時間的に不連続である、［Ｃ１］に記載の方法。
［Ｃ３］
前記スケジューリング許可は、前記介在時間期間のためにスケジュールされた任意のアップリンクサブフレームを無視し、前記許可されたアップリンクリソースを前記第２のＴＸＯＰの間のアップリンクサブフレームに持ち越すように、前記アクセス端末を構成する、［Ｃ２］に記載の方法。
［Ｃ４］
前記第１のＴＸＯＰ、前記第２のＴＸＯＰ、または両方のために前記通信媒体を予約するチャネル予約メッセージを送信することをさらに備える、［Ｃ１］に記載の方法。
［Ｃ５］
前記送信することは、共通制御チャネルで前記スケジューリング許可をブロードキャストすることを備える、［Ｃ１］に記載の方法。
［Ｃ６］
前記第１のＴＸＯＰの間に、前記アクセス端末に前記スケジューリング許可を再送信することをさらに備える、［Ｃ１］に記載の方法。
［Ｃ７］
前記スケジューリング許可は、前記第１のＴＸＯＰの第１のダウンリンクサブフレームにおいて送信され、前記第１のＴＸＯＰの第２のダウンリンクサブフレームにおいて再送信される、［Ｃ６］に記載の方法。
［Ｃ８］
前記スケジューリング許可はさらに、前記第１のＴＸＯＰのためにアップリンクリソースを前記アクセス端末に許可する、［Ｃ１］に記載の方法。
［Ｃ９］
少なくとも１つのプロセッサと、
前記少なくとも１つのプロセッサに結合された少なくとも１つのメモリと、前記少なくとも１つのプロセッサおよび前記少なくとも１つのメモリが、第１の持続時間にわたる第１の送信機会（ＴＸＯＰ）のために通信媒体へのアクセスを求めて競合するように構成され、
前記第１のＴＸＯＰの間にアクセス端末に、第２の持続時間にわたる第２のＴＸＯＰのためにアップリンクリソースを前記アクセス端末に許可するスケジューリング許可を送信するように構成された少なくとも１つのトランシーバと
を備える、通信装置であって、
前記少なくとも１つのプロセッサおよび前記少なくとも１つのメモリは、前記第２のＴＸＯＰのために前記通信媒体へのアクセスを求めて競合するようにさらに構成され、
前記少なくとも１つのトランシーバは、前記第２のＴＸＯＰの間に、前記許可されたアップリンクリソースで前記アクセス端末からアップリンクシグナリングを受信するようにさらに構成される、通信装置。
［Ｃ１０］
前記第１のＴＸＯＰおよび前記第２のＴＸＯＰは、前記第１の持続時間と前記第２の持続時間との間に介在時間期間があるように時間的に不連続である、［Ｃ９］に記載の装置。
［Ｃ１１］
前記スケジューリング許可は、前記介在時間期間のためにスケジュールされた任意のアップリンクサブフレームを無視し、前記許可されたアップリンクリソースを前記第２のＴＸＯＰの間のアップリンクサブフレームに持ち越すように、前記アクセス端末を構成する、［Ｃ１０］に記載の装置。
［Ｃ１２］
前記少なくとも１つのトランシーバは、前記第１のＴＸＯＰ、前記第２のＴＸＯＰ、または両方のために前記通信媒体を予約するチャネル予約メッセージを送信するようにさらに構成される、［Ｃ１１］に記載の装置。
［Ｃ１３］
前記少なくとも１つのトランシーバは、共通制御チャネルで前記スケジューリング許可をブロードキャストするようにさらに構成される、［Ｃ９］に記載の装置。
［Ｃ１４］
前記少なくとも１つのトランシーバは、前記第１のＴＸＯＰの間に、前記アクセス端末に前記スケジューリング許可を再送信するようにさらに構成される、［Ｃ９］に記載の装置。
［Ｃ１５］
前記少なくとも１つのトランシーバは、前記第１のＴＸＯＰの第１のダウンリンクサブフレームにおいて前記スケジューリング許可を送信し、前記第１のＴＸＯＰの第２のダウンリンクサブフレームにおいて前記スケジューリング許可を再送信するようにさらに構成される、［Ｃ１４］に記載の装置。
［Ｃ１６］
前記スケジューリング許可はさらに、前記第１のＴＸＯＰのためにアップリンクリソースを前記アクセス端末に許可する、［Ｃ９］に記載の装置。
［Ｃ１７］
第１の持続時間にわたる第１の送信機会（ＴＸＯＰ）の間に、アクセス端末による送信のためにアップリンクリソースを許可するスケジューリング許可をアクセスポイントから受信することと、
第２の持続時間にわたる第２のＴＸＯＰにおける前記スケジューリング許可に対応するアップリンクリソースを識別することと、
前記第２のＴＸＯＰの間に、前記識別されたアップリンクリソースで前記アクセスポイントにアップリンクシグナリングを送信することと
を備える、通信方法。
［Ｃ１８］
前記第１のＴＸＯＰおよび前記第２のＴＸＯＰは、前記第１の持続時間と前記第２の持続時間との間に介在時間期間があるように時間的に不連続である、［Ｃ１７］に記載の方法。
［Ｃ１９］
前記介在時間期間のためにスケジュールされた任意のアップリンクサブフレームを無視することと、
前記許可されたアップリンクリソースを前記第２のＴＸＯＰの間のアップリンクサブフレームに持ち越すことと
をさらに備える、［Ｃ１８］に記載の方法。
［Ｃ２０］
前記受信することは、共通制御チャネルで前記スケジューリング許可を受信することを備える、［Ｃ１７］に記載の方法。
［Ｃ２１］
前記第１のＴＸＯＰの間に、前記アクセス端末から前記スケジューリング許可の再送信を受信することをさらに備える、［Ｃ１７］に記載の方法。
［Ｃ２２］
前記スケジューリング許可は、前記第１のＴＸＯＰの第１のダウンリンクサブフレームにおいて受信され、前記スケジューリング許可の前記再送信は、前記第１のＴＸＯＰの第２のダウンリンクサブフレームにおいて受信される、［Ｃ２１］に記載の方法。
［Ｃ２３］
前記第１のＴＸＯＰにおける前記スケジューリング許可に対応するアップリンクリソースを識別することと、
前記第１のＴＸＯＰの間に、前記識別されたアップリンクリソースで前記アクセスポイントにアップリンクシグナリングを送信することと
をさらに備える、［Ｃ１７］に記載の方法。
［Ｃ２４］
第１の持続時間にわたる第１の送信機会（ＴＸＯＰ）の間に、アクセス端末による送信のためにアップリンクリソースを許可するスケジューリング許可をアクセスポイントから受信するように構成された少なくとも１つのトランシーバと、
少なくとも１つのプロセッサと、
前記少なくとも１つのプロセッサに結合された少なくとも１つのメモリと、
を備える、通信装置であって、前記少なくとも１つのプロセッサおよび前記少なくとも１つのメモリが、第２の持続時間にわたる第２のＴＸＯＰにおける前記スケジューリング許可に対応するアップリンクリソースを識別するように構成され、
前記少なくとも１つのトランシーバは、前記第２のＴＸＯＰの間に、前記識別されたアップリンクリソースで前記アクセスポイントにアップリンクシグナリングを送信するようにさらに構成される、通信装置。
［Ｃ２５］
前記第１のＴＸＯＰおよび前記第２のＴＸＯＰは、前記第１の持続時間と前記第２の持続時間との間に介在時間期間があるように時間的に不連続である、［Ｃ２４］に記載の装置。
［Ｃ２６］
前記少なくとも１つのプロセッサおよび前記少なくとも１つのメモリは、
前記介在時間期間のためにスケジュールされた任意のアップリンクサブフレームを無視し、
前記許可されたアップリンクリソースを前記第２のＴＸＯＰの間のアップリンクサブフレームに持ち越す
ようにさらに構成される、［Ｃ２５］に記載の装置。
［Ｃ２７］
前記少なくとも１つのトランシーバは、共通制御チャネルで前記スケジューリング許可を受信するようにさらに構成される、［Ｃ２４］に記載の装置。
［Ｃ２８］
前記少なくとも１つのトランシーバは、前記第１のＴＸＯＰの間に、前記アクセスポイントから前記スケジューリング許可の再送信を受信するようにさらに構成される、［Ｃ２４］に記載の装置。
［Ｃ２９］
前記少なくとも１つのトランシーバは、前記第１のＴＸＯＰの第１のダウンリンクサブフレームにおいて前記スケジューリング許可を受信し、前記第１のＴＸＯＰの第２のダウンリンクサブフレームにおいて前記スケジューリング許可の前記再送信を受信するようにさらに構成される、［Ｃ２８］に記載の装置。
［Ｃ３０］
前記少なくとも１つのプロセッサおよび前記少なくとも１つのメモリは、前記第１のＴＸＯＰにおける前記スケジューリング許可に対応するアップリンクリソースを識別するようにさらに構成され、
前記少なくとも１つのトランシーバは、前記第１のＴＸＯＰの間に、前記識別されたアップリンクリソースで前記アクセスポイントにアップリンクシグナリングを送信するようにさらに構成される、［Ｃ２４］に記載の装置。
【図１】
0006805236.tif 000003
【図２】
0006805236.tif 000004
【図３】
0006805236.tif 000005
【図４】
0006805236.tif 000006
【図５】
0006805236.tif 000007
【図６】
0006805236.tif 000008
【図７】
0006805236.tif 000009
【図８】
0006805236.tif 000010
【図９】
0006805236.tif 000011
【図１０】
0006805236.tif 000012
【図１１】
0006805236.tif 000013
【図１２】
0006805236.tif 000014
【図１３】
0006805236.tif 000015
【図１４】
0006805236.tif 000016
【図１５】
0006805236.tif 000017
【図１６】
0006805236.tif 000018
【図１７】
0006805236.tif 000019
【図１８】
0006805236.tif 000020
【図１９】
0006805236.tif 000021
【図２０】
0006805236.tif 000022
【図２１】
0006805236.tif 000023
【図２２】
0006805236.tif 000024
【図２３】
0006805236.tif 000025
【図２４】
0006805236.tif 000026
【図２５】
0006805236.tif 000027
【図２６】
0006805236.tif 000028
【図２７】
0006805236.tif 000029
【図２８】
0006805236.tif 000030
【図２９】
0006805236.tif 000031
【図３０】
0006805236.tif 000032